(57)【要約】【課題】  無駄な電力消費を招くこと無く、通信機能及び映像・音声データ入出力機能を複数の情報処理装置に提供可能なデータ伝送機器を提供することを目的とする。【解決手段】  複数の情報処理装置とローカルネットワークを介して通信可能なワイアレスＡＶステーション１０１において、ルータとして機能する通信部３１３に対する電源ｖ３の供給、第１の入力部２１１に対する電源ｖ１の供給、及び第１の出力部２１２に対する電源ｖ２の供給を独立に制御することが可能である。このため、複数の情報処理装置による第１の入力部２１１及び第１の出力部２１２の使用状況に基づいて、第１の入力部２１１と第１の出力部２１２とを個別に電源オンオフ制御し、必要な部分にのみ電源供給が可能となる。【選択図】  図２
2005108039.tif 000002
【特許請求の範囲】
【請求項１】
複数の情報処理装置からの要求に応じて映像・音声データを入出力するデータ伝送装置において、
第１の電源、第２の電源、及び第３の電源の供給を制御する電源制御部と、
前記第１の電源によって駆動され、映像・音声データが入力される入力部と、
前記第２の電源によって駆動され、映像・音声データが出力される出力部と、
前記第３の電源によって駆動され、前記複数の情報処理装置が接続されるローカルネットワークと外部ネットワークとの間のデータ伝送を実行する通信装置と、
前記通信装置が前記複数の情報処理装置の何れか一つから送信される映像・音声データ入力開始要求を受信した後、前記入力部の使用状況を確認する確認手段と、
前記確認手段によって確認した結果、前記入力部の使用状況が不使用である場合、前記入力部に対して前記映像・音声データ入力開始要求を送信した情報処理装置を割当てる割当て手段と、
前記確認手段によって確認した結果、前記入力部の使用状況が不使用である場合、前記入力部に対する前記第１の電源の供給がオンされるように前記電源制御部を制御する電源制御手段と、
を具備することを特徴とするデータ伝送装置。
【請求項２】
前記割当て手段によって前記入力部に対して前記映像・音声データ入力開始要求を送信した情報処理装置が割当てられるとともに、前記電源制御手段により前記入力部に対する前記第１の電源の供給がオンにされた後、
前記確認手段が前記出力部の使用状況を確認する手段であることを含むことを特徴とする請求項１記載のデータ伝送装置。
【請求項３】
記憶部と、
前記割当て手段によって前記入力部に対して前記映像・音声データ入力開始要求を送信した情報処理装置が割当てられるとともに、前記電源制御手段により前記入力部に対して前記第１の電源の供給がオンにされた後、
前記入力部から入力される映像・音声データを前記記憶部に格納する格納手段と、
を具備することを特徴とする請求項１記載のデータ伝送装置。  
【請求項４】
前記割当て手段によって前記入力部に対して前記映像・音声データ入力開始要求を送信した情報処理装置が割当てられるとともに、前記電源制御手段により前記入力部に対して前記第１の電源の供給がオンにされた後、
前記入力部から入力される映像・音声データを前記映像・音声データ入力開始要求を送信した情報処理装置に出力する出力手段と、
を具備することを特徴とする請求項１記載のデータ伝送装置。
【請求項５】
前記確認手段によって確認した結果、前記出力部が前記映像・音声データ入力開始要求を送信した情報処理装置によって使用されている場合、前記入力部から入力される映像・音声データを前記出力部を介して出力する出力手段と、
を具備することを特徴とする請求項２記載のデータ伝送装置。
【請求項６】
記憶部と、
前記確認手段によって確認した結果、前記出力部が前記映像・音声データ入力開始要求を送信した情報処理装置によって使用されている場合、前記入力部から入力される映像・音声データを前記出力部を介して出力するとともに、前記入力部から入力される映像・音声データを前記記憶部へ格納する手段と、
を具備することを特徴とする請求項２記載のデータ伝送装置。
【請求項７】
前記確認手段によって確認した結果、前記出力部が前記映像・音声データ入力開始要求を送信した情報処理装置によって使用されている場合、
前記入力部から入力される映像・音声データを前記出力部を介して出力するとともに、前記入力部から入力される映像・音声データを前記映像・音声データ入力開始要求を送信した情報処理装置へ出力する手段と、
を具備することを特徴とする請求項２記載のデータ伝送装置。
【請求項８】
前記通信装置が前記映像・音声データ入力開始要求を送信した情報処理装置から送信される映像・音声データ入力終了要求を受信した後、前記入力部から入力される映像・音声データの前記記憶部への格納を停止させる手段と、
前記割当て手段による前記入力部と前記映像・音声データ入力開始要求を送信した情報処理装置との割当てを解除する割当て解除手段と、
前記電源制御手段が前記入力部に対する前記第１の電源の供給をオフするように前記電源制御部を制御する手段とを含むことを特徴とする請求項３記載のデータ伝送装置。
【請求項９】
前記通信装置が前記映像・音声データ入力開始要求を送信した情報処理装置から送信される映像・音声データ入力終了要求を受信した後、前記入力部から入力される映像・音声データの前記映像・音声データ入力開始要求を送信した情報処理装置への出力を停止させる手段と、
前記電源制御手段が前記入力部に対する前記第１の電源の供給をオフするように前記電源制御部を制御する手段とを含むことを特徴とする請求項４記載のデータ伝送装置。
【請求項１０】
前記通信装置が前記映像・音声データ入力開始要求を送信した情報処理装置から送信される映像・音声データ入力終了要求を受信した後、前記入力部から入力される映像・音声データの前記記憶部への格納を停止させる手段と、
を具備することを特徴とする請求項６記載のデータ伝送装置。
【請求項１１】
前記通信装置が前記映像・音声データ入力開始要求を送信した情報処理装置から送信される映像・音声データ入力終了要求を受信した後、前記入力部から入力される映像・音声データの前記映像・音声データ入力開始要求を送信した情報処理装置への出力を停止させる手段と、
を具備することを特徴とする請求項７記載のデータ伝送装置。
【請求項１２】
複数の情報処理装置からの要求に応じて映像・音声データを入出力するデータ伝送装置において、
第１の電源、第２の電源、及び第３の電源の供給を制御する電源制御部と、
前記第１の電源によって駆動され、映像・音声データが入力される入力部と、
前記第２の電源によって駆動され、映像・音声データが出力される出力部と、
前記第３の電源によって駆動され、前記複数の情報処理装置が接続されるローカルネットワークと外部ネットワークとの間のデータ伝送を実行する通信装置と、
前記通信装置が前記複数の情報処理装置の何れか一つから送信される映像・音声データ出力開始要求を受信した後、前記出力部の使用状況を確認する確認手段と、
前記確認手段によって確認した結果、前記出力部の使用状況が不使用である場合、前記出力部に対して前記映像・音声データ出力開始要求を送信した情報処理装置を割当てる割当て手段と、
前記確認手段によって確認した結果、前記出力部の使用状況が不使用である場合、前記出力部に対する前記第２の電源の供給がオンされるように前記電源制御部を制御する電源制御手段と、
を具備することを特徴とするデータ伝送装置。
【請求項１３】
前記割当て手段によって前記出力部に対して前記映像・音声データ出力開始要求を送信した情報処理装置が割当てられるとともに、前記電源制御手段により前記出力部に対して前記第２の電源の供給がオンにされた後、
前記確認手段が前記入力部の使用状況を確認する手段であることを含むことを特徴とする請求項１２記載のデータ伝送装置。
【請求項１４】
映像・音声データを記憶する記憶部と、
前記割当て手段によって前記出力部に対して前記映像・音声データ出力開始要求を送信した情報処理装置が割当てられるとともに、前記電源制御手段により前記出力部への前記第２の電源の供給がオンにされた後、
前記記憶部に記憶されている映像・音声データを前記出力部を介して出力する手段と、
を具備することを特徴とする請求項１２記載のデータ伝送装置。
【請求項１５】
前記確認手段によって確認した結果、前記入力部が前記映像・音声データ出力開始要求を送信した情報処理装置によって使用されている場合、
前記入力部から入力される映像・音声データを前記出力部を介して出力する出力手段と、
を具備することを特徴とする請求項１３記載のデータ伝送装置。
【請求項１６】
映像・音声データを記憶する記憶部と、
前記確認手段によって確認した結果、前記入力部が前記映像・音声データ出力開始要求を送信した情報処理装置によって使用されている場合、前記入力部から入力される映像・音声データを前記記憶部に格納する手段と、
前記記憶部に格納されている映像・音声データを前記出力部を介して出力する出力手段と、
を具備することを特徴とする請求項１３記載のデータ伝送装置。
【請求項１７】
前記通信装置が前記映像・音声データ出力開始要求を送信した情報処理装置から送信される映像・音声データ出力終了要求を受信した後、前記記憶部に記憶されている映像・音声データを前記出力部を介しての出力を停止させる手段と、
前記割当て手段による前記出力部と前記映像・音声データ出力開始要求を送信した情報処理装置との割当てを解除する割当て解除手段と、
前記電源制御手段が前記出力部に対する前記第２の電源の供給をオフするように前記電源制御部を制御する手段とを含むことを特徴とする請求項１４記載のデータ伝送装置。
【請求項１８】
前記通信装置が前記映像・音声データ出力開始要求を送信した情報処理装置から送信される映像・音声データ出力終了要求を受信した後、前記記憶部に記憶されている映像・音声データの前記出力部を介した出力を停止させる手段と、
を具備することを特徴とする請求項１６記載のデータ伝送装置。
【請求項１９】
複数の情報処理装置からの要求に応じて映像・音声データを入出力するデータ伝送装置において、
第１の電源、第２の電源、第３の電源、及び第４の電源の供給を制御する電源制御部と、
前記第１の電源によって駆動され、映像・音声データが入力される入力部と、
前記第２の電源によって駆動され、映像・音声データが出力される出力部と、
前記第３の電源によって駆動され、映像・音声データをエンコード・デコード処理するエンコード・デコード処理部と、
前記第４の電源によって駆動され、前記複数の情報処理装置が接続されるローカルネットワークと外部ネットワークとの間のデータ伝送を実行する通信装置と、
前記通信装置が前記複数の情報処理装置の何れか一つから送信される映像・音声データ入出力開始要求を受信した後、前記入力部、前記出力部及び前記エンコード・デコード処理部の使用状態を確認する確認手段と、
前記確認手段による確認後、前記入力部及び前記出力部に対して前記映像・音声データ入力開始要求を送信した情報処理装置を割当てるとともに、前記エンコード・デコード処理部に対して前記複数の情報処理装置を割当てない手段と、
前記確認手段による確認後、前記入力部に対する前記第１の電源の供給をオンにし、前記出力部に対する前記第２の電源の供給をオンにし、前記エンコード・デコード処理部に対する前記第３の電源の供給をオフにするように電源制御部を制御する電源制御手段と、
を具備することを特徴とするデータ伝送装置。
【請求項２０】
前記通信装置が前記映像・音声データ入出力開始要求を送信した情報処理装置から送信される映像・音声データ入出力終了要求を受信した後、前記入力部及び前記出力部と前記映像・音声データ入出力開始要求を送信した情報処理装置との割当てを解除する割当て解除手段と、
前記電源制御手段は、
前記入力部に対する前記第１の電源の供給をオフにし、前記出力部に対する前記第２の電源の供給をオフにするように電源制御部を制御する手段とを含むことを特徴とする請求項１９記載のデータ伝送装置。
【請求項２１】
映像・音声データを入力する入力部、映像・音声データを出力する出力部、及び複数の情報処理装置が接続されるローカルネットワークと外部ネットワークとの間のデータ伝送を実行する通信装置とを具備するデータ伝送装置における電源制御方法において、
前記通信装置への電源供給をオンにするステップと、
前記通信装置が前記複数の情報処理装置の何れか一つから送信される映像・音声データ入力要求を受信した後、前記入力部の使用状況を確認するステップと、
前記確認ステップによって確認した結果、前記入力部の使用状況が不使用である場合、前記入力部に対して前記映像・音声データ入力開始要求を送信した情報処理装置を割当てるステップと、
前記確認ステップによって確認した結果、前記入力部の使用状況が不使用である場合、前記入力部への電源供給をオンにするステップと、
を具備することを特徴とする電源制御方法。
【請求項２２】
前記入力部に対して前記映像・音声データ入力開始要求を送信した情報処理装置が割当てられるとともに、前記入力部への電源供給をオンにした後、
前記出力部の使用状況を確認するステップを具備することを特徴とする請求項２１記載の電源制御方法。
【請求項２３】
記憶部と、
前記入力部に対して前記映像・音声データ入力開始要求を送信した情報処理装置が割当てられるとともに、前記入力部への電源供給をオンにした後、
前記入力部から入力される映像・音声データを前記記憶部に格納するステップと、
を具備することを特徴とする請求項２１記載の電源制御方法。
【請求項２４】
前記入力部に対して前記映像・音声データ入力開始要求を送信した情報処理装置が割当てられるとともに、前記入力部への電源供給をオンにした後、
前記入力部から入力される映像・音声データを前記映像・音声データ入力開始要求を送信した情報処理装置に出力するステップと、
を具備することを特徴とする請求項２１記載の電源制御方法。
【請求項２５】
前記確認ステップによって確認した結果、前記出力部が前記映像・音声データ入力開始要求を送信した情報処理装置によって使用されている場合、
前記入力部から入力される映像・音声データを前記出力部を介して出力するステップと、
を具備することを特徴とする請求項２２記載の電源制御方法。
【請求項２６】
前記確認ステップによって確認した結果、前記出力部が前記映像・音声データ入力開始要求を送信した情報処理装置によって使用されている場合、
前記入力部から入力される映像・音声データを前記出力部を介して出力するとともに、前記入力部から入力される映像・音声データを記憶部へ格納するステップと、
を具備することを特徴とする請求項２２記載の電源制御方法。
【請求項２７】
前記確認ステップによって確認した結果、前記出力部が前記映像・音声データ入力開始要求を送信した情報処理装置によって使用されている場合、
前記入力部から入力される映像・音声データを前記出力部を介して出力するとともに、前記入力部から入力される映像・音声データを前記映像・音声データ入力開始要求を送信した情報処理装置へ出力するステップと、
を具備することを特徴とする請求項２２記載の電源制御方法。
【請求項２８】
前記映像・音声データ入力開始要求を送信した情報処理装置から送信される映像・音声データ入力終了要求を受信した後、前記入力部から入力される映像・音声データの前記記憶部への格納を停止させるステップと、
前記入力部と前記映像・音声データ入力開始要求を送信した情報処理装置との割当てを解除する割当て解除ステップと、
前記入力部への電源供給をオフにするステップと、
を具備することを特徴とする請求項２３記載の電源制御方法。
【請求項２９】
前記通信装置が前記映像・音声データ入力開始要求を送信した情報処理装置から送信される映像・音声データ入力終了要求を受信した後、前記入力部から入力される映像・音声データの前記映像・音声データ入力開始要求を送信した情報処理装置への出力を停止させるステップと、
前記入力部への電源供給をオフにするステップと、
を具備することを特徴とする請求項２４記載の電源制御方法。
【請求項３０】
前記通信装置が前記映像・音声データ入力開始要求を送信した情報処理装置から送信される映像・音声データ入力終了要求を受信した後、前記入力部から入力される映像・音声データの前記記憶部への格納を停止させるステップと、
を具備することを特徴とする請求項２６記載の電源制御方法。
【請求項３１】
前記通信装置が前記映像・音声データ入力開始要求を送信した情報処理装置から送信される映像・音声データ入力終了要求を受信した後、前記入力部から入力される映像・音声データの前記映像・音声データ入力開始要求を送信した情報処理装置への出力を停止させるステップと、
を具備することを特徴とする請求項２７記載のデータ伝送装置。
【請求項３２】
映像・音声データを入力する入力部、映像・音声データを出力する出力部、映像・音声データを記憶する記憶部、及び複数の情報処理装置が接続されるローカルネットワークと外部ネットワークとの間のデータ伝送を実行する通信装置とを具備するデータ伝送装置における電源制御方法において、
前記通信装置への電源供給をオンにするステップと、
前記複数の情報処理装置の一つから送信される映像・音声データ出力要求を受信した後、前記出力部の使用状況を確認するステップと、
前記確認ステップによって確認した結果、前記出力部の使用状況が不使用である場合、前記出力部に対して前記映像・音声データ出力開始要求を送信した情報処理装置を割当てるステップと、
前記確認ステップによって確認した結果、前記出力部の使用状況が不使用である場合、前記出力部への電源供給をオンにするステップと、
を具備することを特徴とする電源制御方法。
【請求項３３】
前記出力部に対して前記映像・音声データ出力開始要求を送信した情報処理装置が割当てられるとともに、前記出力部への電源供給をオンにした後、
前記入力部の使用状況を確認するステップを具備することを特徴とする請求項３２記載の電源制御方法。
【請求項３４】
前記出力部に対して前記映像・音声データ出力開始要求を送信した情報処理装置が割当てられるとともに、前記出力部に対して電源の供給がオンにされた後、
前記記憶部に記憶されている映像・音声データを前記出力部を介して出力する手段と、
を具備することを特徴とする請求項３３記載の電源制御方法。  
【請求項３５】
前記確認ステップによって確認した結果、前記入力部が前記映像・音声データ出力開始要求を送信した情報処理装置によって使用されている場合、
前記入力部から入力される映像・音声データを前記出力部を介して出力する出力ステップと、
を具備することを特徴とする請求項３３記載の電源制御方法。
【請求項３６】
前記確認ステップによって確認した結果、前記入力部が前記映像・音声データ出力開始要求を送信した情報処理装置によって使用されている場合、
前記入力部から入力される映像・音声データを前記記憶部へ格納するステップと、
前記記憶部に格納されている映像・音声データを前記出力部を介して出力する出力ステップと、
を具備することを特徴とする請求項３３記載の電源制御方法。
【請求項３７】
前記通信装置が前記映像・音声データ出力開始要求を送信した情報処理装置から送信される映像・音声データ出力終了要求を受信した後、前記記憶部に記憶されている映像・音声データの前記出力部を介する出力を停止させるステップと、
前記出力部と前記映像・音声データ出力開始要求を送信した情報処理装置との割当てを解除する割当て解除ステップと、
前記出力部への電源供給をオフにするステップと、
を具備することを特徴とする請求項３４記載の電源制御方法。
【請求項３８】
前記通信装置が前記映像・音声データ出力開始要求を送信した情報処理装置から送信される映像・音声データ出力終了要求を受信した後、前記記憶部に格納されている映像・音声データの前記出力部を介した出力を停止させるステップと、
を具備することを特徴とする請求項３６記載のデータ伝送装置。
【請求項３９】
映像・音声データを入力する入力部、映像・音声データを出力する出力部、映像・音声データを記憶する記憶部、映像・音声データをエンコード・デコード処理するエンコード・デコード処理部、及び複数の情報処理装置が接続されるローカルネットワークと外部ネットワークとの間のデータ伝送を実行する通信装置とを具備するデータ伝送装置における電源制御方法において、
前記通信装置への電源供給をオンにするステップと、
前記複数の情報処理装置の何れか一つから送信される映像・音声データ入出力要求を受信した後、前記入力部、前記出力部及び前記エンコード・デコード処理部の使用状態を確認するステップと、
前記確認ステップによる確認後、前記入力部及び前記出力部に対して前記映像・音声データ入力開始要求を送信した情報処理装置を割当てるとともに、前記エンコード・デコード処理部に対して前記複数の情報処理装置を割当てないステップと、
前記確認ステップによる確認後、前記入力部への電源供給をオンにし、前記出力部への電源供給をオンにし、前記エンコード・デコード処理部への電源供給をオフにするステップと、
を具備することを特徴とする電源制御方法。
【請求項４０】
前記通信装置が前記映像・音声データ入出力開始要求を送信した情報処理装置から送信される映像・音声データ入出力終了要求を受信した後、
前記入力部及び前記出力部と前記映像・音声データ入出力開始要求を送信した情報処理装置との割当てを解除する割当て解除ステップと、
前記入力部への電源供給をオフにし、前記出力部への電源供給をオフにするステップと、
を具備することを特徴とする請求項３９記載の電源制御方法。
【発明の詳細な説明】
【技術分野】
【０００１】
本発明は、例えばホームサーバといったデータ伝送装置に関し、特に、情報処理装置からの要求に応じて映像・音声データを入出力する機能を有するデータ伝送装置及び同装置で用いられる電源制御方法に関する。
【背景技術】
【０００２】
近年、情報処理技術及び通信技術の進展に伴い、ＴＶ、オーディオ機器を始めとする電子機器同士を接続するためのホームネットワークシステムの開発が進められている。
【０００３】
ホームネットワークシステムにおいて、ホームサーバはネットワークを介してパーソナルコンピュータといった情報処理装置と接続される。最近では、該情報処理装置が接続されるローカルネットワークとインターネットを始めとする外部ネットワークとの間を接続するためのルータ機能を有するホームサーバも開発されている。ホームサーバに接続されている情報処理装置は、ホームサーバを介して、該ホームサーバと接続されている他の情報処理装置、及びインターネット上のＷｅｂサーバ等と通信を行うことが可能である。
【０００４】
さらに、ＴＶ番組を始めとする放送データを受信するＴＶ機能、及び例えばビデオカメラといった外部機器から入力される映像・音声データを取り込む機能を搭載したホームサーバも開発されている。ホームサーバは入力部から入力される放送データをはじめとする映像・音声データを、出力部を介してＴＶ受像機へ出力したり、該ホームサーバに設けられている磁気ディスクドライブ装置に記憶させることが可能である。また、磁気ディスクドライブ装置に記憶された映像・音声データを、出力部を介してＴＶ受像機へ出力することも可能である。
【０００５】
しかし、従来のホームサーバにおいては、ホームサーバの電源がオンにされている期間中、ルータ機能を実現するルータ部、および映像・音声データを入出力する際に使用される映像・音声データ入力部、映像・音声データ出力部に対して電源が供給されていたため、ホームサーバのルータ機能のみを使用する場合、映像・音声データ入力部及び映像・音声データ出力部への電源供給されることで、無駄な電力が消費されていた。
【０００６】
さらに、外部から映像・音声データ入力部を介して入力される映像・音声データをＨＤＤへ記憶させる、又はローカルネットワークを介して情報処理装置へ出力する場合、使用されない映像・音声データ出力部に電源が供給されることで無駄な電力が消費されており、同様に、ＨＤＤに記憶されている映像・音声データを映像・音声データ出力部を介してＴＶ受像機へ出力する場合、使用されない映像・音声データ入力部に電源が供給されることで無駄な電力が消費されていた。
【０００７】
従来のカセットテープ式磁気記録再生装置の電源制御方法として、装置本体のスイッチ操作部を操作することにより発生する装置制御信号等が入力された時刻を基点として時間を計測するカウンタ手段と、装置の電源オンオフを制御する手段とを備え、電源オン後、前記装置制御信号が発生せず無操作状態が一定時間継続された場合、該カウンタ手段の出力により該装置の電源を制御して自動的に電源をオフする電源制御方法があった（特許文献１参照。）。
【特許文献１】特開２０００−３６１４３号公報（第３頁、第１図）
【発明の開示】
【発明が解決しようとする課題】
【０００８】
しかし、上記方法は、カセットテープ式磁気記録再生装置をシングルユーザ環境で使用することを前提としており、複数の情報処理装置からホームサーバの有する映像・音声入力機能及び映像・音声出力機能を制御するというマルチユーザ環境での使用について考慮されていない。複数の情報処理装置との通信が可能なホームサーバにおいては、無駄な電力消費を招くことなく、ホームサーバの通信機能、映像・音声入力機能、及び映像・音声出力機能を複数の情報処理装置から利用するための機能を実現する必要性がある。
【０００９】
そこで、本発明は上述の事情を考慮してなされたものであり、無駄な電力消費を招くことなく、通信機能及び映像・音声データ入出力機能を複数の情報処理装置に提供することが可能なデータ伝送装置及び電源制御方法を提供することを目的とする。
【課題を解決するための手段】
【００１０】
上記目的を達成するために、請求項１に係る発明では、複数の情報処理装置からの要求に応じて映像・音声データを入出力するデータ伝送装置において、第１の電源、第２の電源、及び第３の電源の供給を制御する電源制御部と、前記第１の電源によって駆動され、映像・音声データが入力される入力部と、前記第２の電源によって駆動され、映像・音声データが出力される出力部と、前記第３の電源によって駆動され、前記複数の情報処理装置が接続されるローカルネットワークと外部ネットワークとの間のデータ伝送を実行する通信装置と、前記通信装置が前記複数の情報処理装置の何れか一つから送信される映像・音声データ入力開始要求を受信した後、前記入力部の使用状況を確認する確認手段と、前記確認手段によって確認した結果、前記入力部の使用状況が不使用である場合、前記入力部に対して前記映像・音声データ入力開始要求を送信した情報処理装置を割当てる割当て手段と、前記確認手段によって確認した結果、前記入力部の使用状況が不使用である場合、前記入力部に対する前記第１の電源の供給がオンされるように前記電源制御部を制御する電源制御手段とを具備することを特徴とする。
【００１１】
また、請求項１２に係る発明では、複数の情報処理装置からの要求に応じて映像・音声データを入出力するデータ伝送装置において、第１の電源、第２の電源、及び第３の電源の供給を制御する電源制御部と、前記第１の電源によって駆動され、映像・音声データが入力される入力部と、前記第２の電源によって駆動され、映像・音声データが出力される出力部と、前記第３の電源によって駆動され、前記複数の情報処理装置が接続されるローカルネットワークと外部ネットワークとの間のデータ伝送を実行する通信装置と、前記通信装置が前記複数の情報処理装置の何れか一つから送信される映像・音声データ出力開始要求を受信した後、前記出力部の使用状況を確認する確認手段と、前記確認手段によって確認した結果、前記出力部の使用状況が不使用である場合、前記出力部に対して前記映像・音声データ出力開始要求を送信した情報処理装置を割当てる割当て手段と、前記確認手段によって確認した結果、前記出力部の使用状況が不使用である場合、前記出力部に対する前記第２の電源の供給がオンされるように前記電源制御部を制御する電源制御手段とを具備することを特徴とする。
【００１２】
また、請求項１９に係る発明では、複数の情報処理装置からの要求に応じて映像・音声データを入出力するデータ伝送装置において、第１の電源、第２の電源、第３の電源、及び第４の電源の供給を制御する電源制御部と、前記第１の電源によって駆動され、映像・音声データが入力される入力部と、前記第２の電源によって駆動され、映像・音声データが出力される出力部と、前記第３の電源によって駆動され、映像・音声データをエンコード・デコード処理するエンコード・デコード処理部と、前記第４の電源によって駆動され、前記複数の情報処理装置が接続されるローカルネットワークと外部ネットワークとの間のデータ伝送を実行する通信装置と、前記通信装置が前記複数の情報処理装置の何れか一つから送信される映像・音声データ入出力開始要求を受信した後、前記入力部、前記出力部及び前記エンコード・デコード処理部の使用状態を確認する確認手段と、前記確認手段による確認後、前記入力部及び前記出力部に対して前記映像・音声データ入力開始要求を送信した情報処理装置を割当てるとともに、前記エンコード・デコード処理部に対して前記複数の情報処理装置を割当てない手段と、前記確認手段による確認後、前記入力部に対する前記第１の電源の供給をオンにし、前記出力部に対する前記第２の電源の供給をオンにし、前記エンコード・デコード処理部に対する前記第３の電源の供給をオフにするように電源制御部を制御する電源制御手段とを具備することを特徴とする。
【００１３】
また、請求項２１に係る発明では、映像・音声データを入力する入力部、映像・音声データを出力する出力部、及び複数の情報処理装置が接続されるローカルネットワークと外部ネットワークとの間のデータ伝送を実行する通信装置とを具備するデータ伝送装置における電源制御方法において、前記通信装置への電源供給をオンにするステップと、前記通信装置が前記複数の情報処理装置の何れか一つから送信される映像・音声データ入力要求を受信した後、前記入力部の使用状況を確認するステップと、前記確認ステップによって確認した結果、前記入力部の使用状況が不使用である場合、前記入力部に対して前記映像・音声データ入力開始要求を送信した情報処理装置を割当てるステップと、前記確認ステップによって確認した結果、前記入力部の使用状況が不使用である場合、前記入力部への電源供給をオンにするステップとを具備することを特徴とする。
【００１４】
また、請求項３２に係る発明では、映像・音声データを入力する入力部、映像・音声データを出力する出力部、映像・音声データを記憶する記憶部、及び複数の情報処理装置が接続されるローカルネットワークと外部ネットワークとの間のデータ伝送を実行する通信装置とを具備するデータ伝送装置における電源制御方法において、前記通信装置への電源供給をオンにするステップと、前記複数の情報処理装置の一つから送信される映像・音声データ出力要求を受信した後、前記出力部の使用状況を確認するステップと、前記確認ステップによって確認した結果、前記出力部の使用状況が不使用である場合、前記出力部に対して前記映像・音声データ出力開始要求を送信した情報処理装置を割当てるステップと、前記確認ステップによって確認した結果、前記出力部の使用状況が不使用である場合、前記出力部への電源供給をオンにするステップとを具備することを特徴とする。
【００１５】
また、請求項３９に係る発明では、映像・音声データを入力する入力部、映像・音声データを出力する出力部、映像・音声データを記憶する記憶部、映像・音声データをエンコード・デコード処理するエンコード・デコード処理部、及び複数の情報処理装置が接続されるローカルネットワークと外部ネットワークとの間のデータ伝送を実行する通信装置とを具備するデータ伝送装置における電源制御方法において、前記通信装置への電源供給をオンにするステップと、前記複数の情報処理装置の何れか一つから送信される映像・音声データ入出力要求を受信した後、前記入力部、前記出力部及び前記エンコード・デコード処理部の使用状態を確認するステップと、前記確認ステップによる確認後、前記入力部及び前記出力部に対して前記映像・音声データ入力開始要求を送信した情報処理装置を割当てるとともに、前記エンコード・デコード処理部に対して前記複数の情報処理装置を割当てないステップと、前記確認ステップによる確認後、前記入力部への電源供給をオンにし、前記出力部への電源供給をオンにし、前記エンコード・デコード処理部への電源供給をオフにするステップとを具備することを特徴とする。
【発明の効果】
【００１６】
本発明によれば、無駄な消費電力を招くことなく、通信サービス及び映像・音声データ入出力サービスを複数の情報処理装置に提供することが可能である。
【発明を実施するための最良の形態】
【００１７】
以下本発明に係る実施の形態を、図面を参照して説明する。
【００１８】
図１は、本発明の実施形態に係るデータ伝送装置を用いたホームネットワークシステムの構成を示す。このホームネットワークシステムは、ワイアレスＡＶステーション１０１、ＴＶ受像機１０２、ノートブック型コンピュータ１０３、デスクトップ型コンピュータ１０４、外部機器１０５等から構成されている。
【００１９】
ワイアレスＡＶステーション１０１は、ホームサーバとして機能するデータ伝送装置である。このワイアレスＡＶステーション１０１は、例えばＴＶ番組といった放送番組データの視聴、外部機器１０５から入力されるコンテンツデータの視聴、及びインターネット１２への接続といったサービスを、家庭内の無線又は有線のローカルネットワークを介して、ノートブック型コンピュータ１０３及びデスクトップ型コンピュータ１０４等の情報処理装置に提供する。
【００２０】
ワイアレスＡＶステーション１０１は、例えばＩＳＤＮ（Integrated Services Digital Network）、ＡＤＳＬ（Asymmetric Digital Subscriber line）、ＣＡＴＶ（Cable TV）などの通信回線を介して、インターネット１２等の外部のグローバルネットワーク（外部ネットワーク）に接続されている。さらに、ワイアレスＡＶステーション１０１は、家庭内の有線又は無線のローカルネットワークを介して、家庭内の各情報処理装置に接続されている。
【００２１】
ノートブック型コンピュータ１０３及びデスクトップ型コンピュータ１０４の夫々は、ワイアレスＡＶステーション１０１のクライアントとしても機能する端末である。ノートブック型コンピュータ１０３には無線通信装置が設けられており、ワイアレスＡＶステーション１０１に無線通信ネットワーク（無線ＬＡＮ）１４を介して接続することが可能である。デスクトップ型コンピュータ１０４は、有線通信ネットワーク（有線ＬＡＮ）１３を介してワイアレスＡＶステーション１０１に接続することが可能である。
【００２２】
ワイアレスＡＶステーション１０１は、ノートブック型コンピュータ１０３及びデスクトップ型コンピュータ１０４夫々をインターネット１２に接続し、インターネット１２上のＷｅｂサイトとノートブック型コンピュータ１０３及びデスクトップ型コンピュータ１０４との間のデータの送受信を行う。
【００２３】
屋外に設置されたＴＶ放送受信アンテナ１１に接続されるアンテナケーブルは屋内に引き込まれている。このアンテナケーブルにはＴＶ受像機１０２とワイアレスＡＶステーション１０１とが接続されている。放送局等から送信される放送番組データはＴＶ受像機１０２にて受信及び再生可能であり、また、ワイアレスＡＶステーション１０１でも受信することが可能である。ワイアレスＡＶステーション１０１は、受信した放送番組データを、家庭内の無線又は有線のローカルネットワークを介して、ノートブック型コンピュータ１０３及びデスクトップ型コンピュータ１０４に送信する。また、ワイアレスＡＶステーション１０１は、受信した放送番組データをＴＶ受像機１０２に出力することが可能である。
【００２４】
ワイアレスＡＶステーション１０１は、例えば、ビデオプレーヤ、カメラ、オーディオプレーヤといった外部機器１０５にも接続されている。ワイアレスＡＶステーション１０１は、外部機器１０５からコンテンツデータを受信することが可能である。ワイアレスＡＶステーション１０１は、受信したコンテンツデータを、家庭内の無線又は有線のローカルネットワークを介して、ノートブック型コンピュータ１０３及びデスクトップ型コンピュータ１０４に送信する。また、ワイアレスＡＶステーション１０１は、受信したコンテンツデータをＴＶ受像機１０２に出力することが可能である。
【００２５】
ワイアレスＡＶステーション１０１によって提供される主な機能を以下に説明する。
【００２６】
・ルータ機能
ルータ機能とは、家庭内の無線又は有線のローカルネットワーク１３、１４とインターネット１２との間を接続する機能である。この機能を利用することにより、ノートブック型コンピュータ１０３及びデスクトップ型コンピュータ１０４の夫々は、インターネット１２上のＷｅｂサイトとの通信、ローカルネットワークに接続されている他の情報処理装置と通信することが可能である。
【００２７】
・ＴＶ機能
ＴＶ機能とは、家庭内の無線又は有線のローカルネットワーク１３、１４に接続されたノートブック型コンピュータ１０３及びデスクトップ型コンピュータ１０４からの要求に応じて、放送番組データを受信する機能である。ワイアレスＡＶステーション１０１は、受信した放送番組データを要求元の情報処理装置に送信したり、ＴＶ受像機１０２へ出力することが可能である。ワイアレスＡＶステーション１０１は、複数の情報処理装置がＴＶ機能を利用可能とするために、複数の放送番組受信データユニットを具備している。
【００２８】
・ＴＶ録画機能
ワイアレスＡＶステーション１０１は、放送番組データを記録するための大容量ストレージデバイスとして、例えば磁気ディスクドライブ装置（ハードディスクドライブ：ＨＤＤ）を具備する。ワイアレスＡＶステーション１０１は、例えば現在放送中の放送番組データを情報処理装置に送信しながら、磁気ディスクドライブ装置にファイルとして記憶することが可能である。また、ワイアレスＡＶステーション１０１は、磁気ディスクドライブ装置に記憶されている放送番組データを情報処理装置に送信しつつ、この放送番組データとは異なる放送番組データを受信し、磁気ディスクドライブ装置に記憶することが可能である。さらに、ワイアレスＡＶステーション１０１は、磁気ディスクドライブ装置に記憶された放送番組データをＴＶ受像機１０２に出力可能である。
【００２９】
・外部入力機能
外部入力機能とは、家庭内の無線又は有線のローカルネットワーク１３、１４に接続されたノートブック型コンピュータ１０３及びデスクトップ型コンピュータ１０４からの要求に応じて、外部機器１０５からのコンテンツデータを受信（入力）する機能である。ワイアレスＡＶステーション１０１は、外部機器１０５から受信したコンテンツデータを要求元の情報処理装置に送信したり、ＴＶ受像機１０２に出力可能である。また、ワイアレスＡＶステーション１０１は、外部機器１０５から受信したコンテンツデータを磁気ディスクドライブ装置にファイルとして記憶することが可能である。
【００３０】
・コンテンツサーバ機能
ワイアレスＡＶステーション１０１は、家庭内の無線又は有線のローカルネットワーク１３、１４に接続されたノートブック型コンピュータ１０３及びデスクトップ型コンピュータ１０４からの要求に応じて、磁気ディスクドライブ装置にファイルとして記憶された放送番組データ又はコンテンツデータを、要求元の情報処理装置に送信することが可能である。
【００３１】
・遠隔制御機能
ワイアレスＡＶステーション１０１のＴＶ機能、ＴＶ録画機能、外部入力機能、コンテンツサーバ機能は、家庭内の無線又は有線のローカルネットワーク１３、１４に接続されたノートブック型コンピュータ１０３及びデスクトップ型コンピュータ１０４の夫々から遠隔制御を行うことが可能である。また、ワイアレスＡＶステーション１０１を操作するリモートコントローラユニットを用いて、ワイアレスＡＶステーション１０１のＴＶ機能、ＴＶ録画機能、外部入力機能、コンテンツサーバ機能を制御することが可能である。
【００３２】
次に、図２を参照して、本発明の第１の実施形態に係るワイアレスＡＶステーション１０１のシステム構成について説明する。
【００３３】
ワイアレスＡＶステーション１０１は、ＡＶ部２１、システム部３１、電源部４１及び電源制御部４２を備えている。ＡＶ部２１は、第１の入力部２１１、第１の出力部２１２、ＰＣＩバスインターフェイス（ＰＣＩ  Ｉ／Ｆ）２１３を具備し、前述のＴＶ機能、ＴＶ録画機能、外部入力機能を実行する際に使用される。第１の入力部２１１及び第１の出力部２１２は、夫々、電源ｖ１及び電源ｖ２によって駆動される。これらの電源ｖ１及び電源ｖ２は、電源制御部４２から供給される。
【００３４】
第１の入力部２１１は、ＴＶチューナ２２１、ビデオデコーダ２２２、オーディオアナログデジタルコンバータ（ＡＤＣ）２２３、ＭＰＥＧエンコーダ２２４とから構成される。ＴＶチューナ２２１はＴＶアンテナ１１に接続されている。ＴＶチューナ２２１は、例えば、家庭内の無線又は有線のローカルネットワーク１３、１４に接続されたノートブック型コンピュータ１０３及びデスクトップ型コンピュータ１０４から要求された放送番組に関するデータを受信するデバイスであり、ＴＶ受信要求等に基いて、例えば、所定の番組チャネルの選択動作、ＴＶ放送番組に関するデータを受信動作等を行う。
【００３５】
ビデオデコーダ２２２は、ＴＶチューナ１０１から出力される映像信号をデジタル信号に変換する。また、ビデオデコーダ２２２は、ビデオプレーヤ、カメラといった外部機器１０５から出力される映像信号をもデジタル信号に変換する。オーディオＡＤＣ２２３は、ＴＶチューナ１０１から出力される音声信号をデジタル信号に変換する。また、オーディオＡＤＣ２２３は、ビデオプレーヤ、カメラ、オーディオプレーヤといった外部機器１０５から出力される音声信号をもデジタル信号に変換する。
【００３６】
ＭＰＥＧエンコーダ２２４は、ビデオデコーダ２２２で変換されたデジタル映像信号とオーディオＡＤＣ２２３で変換されたデジタル音声信号との間で同期をとり、これらのデジタル信号をＭＰＥＧ方式に従って符号圧縮化を行う。
【００３７】
ＭＰＥＧ方式に従って符号圧縮化されることで生成されたデジタル信号を、要求元の情報処理装置に送信する場合、又は、システム部３１内のＨＤＤ３１２に記憶する場合は、ＰＣＩバスインターフェイス（ＰＣＩ  Ｉ／Ｆ）２１３、及びバス１０を介して、システム部３１に送信される。ＴＶチューナ２２１によって受信されたＴＶ放送番組に関するデータをＴＶ受像機１０２に出力しながらシステム部３１内のＨＤＤ３１２に記憶させる場合、ＭＰＥＧエンコーダ２２４によって符号圧縮化されたデジタル信号は、ＰＣＩバスインターフェイス２１３を介してシステム部３１に送信されるとともに、後述で説明する第１の出力部２１２の構成の一つであるＭＰＥＧデコーダ２３１に送信される。ＴＶチューナ２２１によって受信されたＴＶ放送番組に関するデータをＴＶ受像機１０２に出力する場合、ＭＰＥＧエンコーダ２２４によって符号圧縮化されたデジタル信号は、ＰＣＩバスインターフェイス２１３を介してＭＰＥＧデコーダ２３１へ送信される。
【００３８】
第１の出力部２１２は、ＭＰＥＧデコーダ２３１、ビデオエンコーダ２３２、オーディオデジタルアナログコンバータ（ＤＡＣ）２３３とから構成される。ＭＰＥＧデコーダ２３１は、ＭＰＥＧ方式に従って符号圧縮化されたデータからデジタル映像信号とデジタル音声信号とを生成する。このＭＰＥＧデコーダ２３１は、ＴＶチューナ２２１によって受信されたＴＶ放送番組に関するデータをＴＶ受像機１０２に出力する場合、又は、システム部３１内のＨＤＤ３１２に記憶されているＭＰＥＧ方式に従って符号圧縮化されたデジタル信号をＴＶ受像機１０２に出力する場合に使用される。
【００３９】
ビデオエンコーダ２３２は、ＭＰＥＧデコーダ２３１で生成されたデジタル映像信号をアナログ映像信号へ変換する。また、オーディオＤＡＣ２３３は、ＭＰＥＧデコーダ２３１で生成されたデジタル音声信号をアナログ音声信号へ変換する。これらのアナログ映像信号及びアナログ音声信号は、ＴＶ受像機１０２に出力される。以上説明したとおり、ＡＶ部２１を構成する第１の入力部２１１は、ワイアレスＡＶステーション１０１に入力される映像及び音声データの処理を行い、ＡＶ部２１を構成する第１の出力部２１２は、第１の入力部２１１で処理されたデータ又は、システム部３１のＨＤＤ３１２に記憶されているデータを、ワイアレスＡＶステーション１０１から出力される映像及び音声データ形式に変換するといった処理を行う。
【００４０】
システム部３１は、システム制御部３１１、ＨＤＤ３１２、通信部３１３、リモコンコントローラ３１４を具備する。システム部３１は、電源部４１から供給される電源ｖ３によって駆動される。
【００４１】
システム制御部３１１は、ワイアレスＡＶステーション１０１の動作を制御する。システム制御部３１１は、リモートコントローラ３１４によって受信されるリモコンユニットからのＴＶ／コンテンツデータ視聴要求、及び通信部３１３によって受信される家庭内の無線又は有線のローカルネットワーク１３、１４に接続されたノートブック型コンピュータ１０３又はデスクトップ型コンピュータ１０４からのＴＶ／コンテンツデータ視聴要求に応じて、ＡＶ部２１の動作を制御する。また、システム制御部３１１は、第１の入力部２１１及び第１の出力部２１２夫々の使用状況を監視する監視機能と、使用されていない第１の入力部２１１又は第１の出力部２１２に対する電源供給をオフにするために、第１の入力部２１１の電源供給オン／オフと第１の出力部２１２の電源供給オン／オフとを制御する電源制御機能とを有する。
【００４２】
通信部３１３は、上述したルータ機能を実行するためのデバイスであり、家庭内のローカルネットワーク（有線ＬＡＮ１３、無線ＬＡＮ１４）とインターネット１２との間のデータ伝送を実行する。通信部３１３は、ＩＰマスカレード（IP masquerade）機能、ＮＡＴ（Network Address Translation）機能、ＤＨＣＰ（Dynamic Host Configuration Protocol）機能等を具備している。通信部３１３は、インターネット１２側に接続する際に使用されるＷＡＮポート、有線ＬＡＮ１３に接続する際に使用されるＬＡＮポート、及び無線ＬＡＮ１４と接続する際に使用される無線通信デバイスを具備する。通信部３１３は、家庭内のローカルネットワーク（有線ＬＡＮ１３、無線ＬＡＮ１４）を介するノートブック型コンピュータ１０３とデスクトップ型コンピュータ１０４との間のデータ伝送、及びノートブック型コンピュータ１０３又はデスクトップ型コンピュータ１０４とインターネット１２との間のデータ伝送を制御する。
【００４３】
通信部３１３は、バス１０を介してシステム制御部３１１を接続されており、ノートブック型コンピュータ１０３又はデスクトップ型コンピュータ１０４からＴＶ／コンテンツデータ視聴要求を受信した場合は、この受信したＴＶ／コンテンツデータ視聴要求をシステム制御部３１１へ送信する。さらに、通信部３１３は、ＡＶ部２１で受信されるＴＶ番組放送データ／コンテンツデータを、システム制御部３１１の制御の下に、ローカルネットワークを介してノートブック型コンピュータ１０３又はデスクトップ型コンピュータ１０４へ送信する機能も具備している。
【００４４】
リモートコントローラ３１４は、リモコンユニット１０６との通信を制御する。リモコンユニット１０６から送信されるＴＶ番組放送データ／コンテンツデータ視聴要求はリモートコントローラ３１４によって受信され、パス１０を介してシステム制御部３１１に送信される。
【００４５】
電源部４１はワイアレスＡＶステーション１０１を構成する各モジュールに動作電源を供給する電源装置である。電源部４１は、後述で説明する電源制御部４２からの電源制御信号に応じて、第１の入力部２１１への電源ｖ１の供給と、第１の出力部２１２への電源ｖ２の供給と、システム部３１への電源ｖ３の供給とを夫々独立して制御する。
【００４６】
電源制御部４２は、システム制御部３１１からの要求に応じて、電源部４１に電源制御信号４２ａを供給するとともに、電源部４１から送信される電源ステータス信号４２ｂによって電源部４１の動作監視を行う。
【００４７】
このワイアレスＡＶステーション１０１においては、ルータとして機能する通信部３１３に対する電源供給ｖ３と、第１の入力部２１１に対する電源供給ｖ１と第１の出力部２１２に対する電源供給ｖ２とを独立に制御することが可能である。従って、例えば、ノートブック型コンピュータ１０３又はデスクトップ型コンピュータ１０４がＷｅｂブラウジングを行う場合には、通信部３１３を有するシステム部３１に電源ｖ３を供給した状態で、第１の入力部２１１及び第１の出力部２１２に対する電源ｖ１、ｖ２への供給を停止させることが可能である。また、ＴＶチューナ２２１によって受信されたＴＶ放送番組に関するデータやコンテンツデータをＨＤＤ３１に記憶する場合、若しくは、通信部３１３を用いて、家庭内のローカルネットワーク（有線ＬＡＮ１３、無線ＬＡＮ１４）に接続されているノートブック型コンピュータ１０３又はデスクトップ型コンピュータ１０４に出力する場合には、第１の入力部２１１に電源ｖ１を供給、及び通信部３１３を有するシステム部３１に電源ｖ３を供給した状態で、第１の出力部２１２に対する電源供給ｖ２を停止させることが可能である。さらに、ＨＤＤ３１３に記憶されるとともにＴＶチューナ２２１によって受信されたＴＶ放送番組に関するデータやコンテンツデータをＴＶ受像機１０２へ出力する場合には、第１の出力部２１２に電源ｖ２を供給、及び通信部３１３を有するシステム部３１に電源ｖ３を供給した状態で、第１の入力部２１１に対する電源供給ｖ１を停止させることが可能である。
【００４８】
次に、図３を参照して、本発明の第１の実施形態に係るワイアレスＡＶステーション１０１内に配される電源供給系統を説明する。
【００４９】
ワイアレスＡＶステーション１０１を構成するコンポーネントは、第１乃至第３の３つの電源被供給部に分類される。第１の入力部２１１内のＴＶチューナ２２１、ビデオデコーダ２２２、オーディオＡＤＣ２２３、ＭＰＥＧエンコーダ２２４は第１の電源被供給部（＃電源被供給部１）に属しており、このコンポーネントに対して電源ｖ１が供給される。第１の出力部２１２内のＭＰＥＧデコーダ２３１、ビデオエンコーダ２３２、オーディオＤＡＣ２３３は第２の電源被供給部（＃電源被供給部２）に属しており、このコンポーネントに対して電源ｖ２が供給される。さらに、バス１０に接続されるコンポーネント群、即ちシステム部３１を構成するシステム制御部３１１、ＨＤＤ３１２、通信部３１３、リモコンコントローラ３１４及びＰＣＩ／ＩＦ２１３は第３の電源被供給部（＃電源被供給部３）に属しており、このコンポーネントに対して電源ｖ３が供給される。
【００５０】
電源部４１は電源ｖ１、ｖ２、ｖ３の供給を夫々独立して制御することが可能である。電源部４１は電源ｖ１、ｖ２、ｖ３の夫々に対応する３つの電源出力部を具備しており、電源制御部４２からの電源制御信号４２ａに応じて３つの電源出力部毎に設けられるスイッチ回路をオン／オフ制御すること等で、電源ｖ１、ｖ２、ｖ３の供給を夫々個別に制御できるよう構成される。ワイアレスＡＶステーション１０１の本体電源がオンされる期間中は、電源ｖ３が＃電源被供給部３に供給される。電源ｖ１及び電源ｖ２は、夫々適時、オン／オフされる。
【００５１】
図４には、システム制御部３１１が第１の入力部２１１及び第１の出力部２１２夫々の使用状況を管理するために使用する、本発明の第１の実施形態に係る使用状況管理テーブルの例が示されている。
【００５２】
使用状況管理テーブルには、各使用中のコンポーネント毎に、［ソース］［ユーザＩＤ］［ＯＮ／ＯＦＦステート］［常時ＯＮ／常時ＯＦＦ］に関する内容が格納される。［ソース］は、該当するコンポーネントに伝送されるソースデータの種類を示す。［ユーザＩＤ］は、該当するコンポーネントを使用中の情報処理装置を識別するＩＤを示す。［ＯＮ／ＯＦＦステート］は、該当するコンポーネントが使用中であるか否か、つまり、現在、電源が供給されているか否かを示す。［常時ＯＮ／常時ＯＦＦ］は、該当するコンポーネントに対して、常時、電源を供給するか否かを示す。
【００５３】
次に図５を参照して、通信部３１３、第１の入力部２１１、第１の出力部２１２夫々の電源供給状態がどのように遷移するかについて説明する。
【００５４】
ワイアレスＡＶステーション１０１の電源がオンされると、ワイアレスＡＶステーション１０１の電源状態はステートＳＴ１（初期状態）となる。ステートＳＴ１において、通信部３１３を有する電源被供給部３には電源ｖ３が供給されるが、電源被供給部１（第１の入力部２１１）及び電源被供給部２（第１の出力部２１２）に対する、電源ｖ１及び電源ｖ２の供給はオフの状態にある。ワイアレスＡＶステーション１０１がルータとして機能している場合、又はＨＤＤ３１２に記憶されている放送番組データ、コンテンツデータを通信部３１３を介して情報処理装置に送信する場合は、第１の入力部２１１及び第１の出力部２１２は使用されないので、ワイアレスＡＶステーション１０１は、ステートＳＴ１に維持される。
【００５５】
ステートＳＴ１において、通信部３１３が情報処理装置であるノートブック型コンピュータ１０３又はデスクトップ型コンピュータ１０４からローカルネットワークを介して送信されるＴＶ放送番組データ受信要求といった映像・音声データ入力開始要求を受信すると、電源状態はステートＳＴ２へ遷移する。
【００５６】
ステートＳＴ２では、通信部３１３を有する電源被供給部３には電源ｖ３、電源被供給部１に電源ｖ１が夫々、供給されるが、電源被供給部２には電源ｖ２が供給されない。すなわち映像・音声データ入力開始要求を送信した情報処理装置によって映像・音声データ入力部として使用される第１の入力部２１１が、映像・音声データ入力開始要求を送信した情報処理装置に割当てられる。そして、情報処理装置に割当てられた第１の入力部２１１に対応する電源被供給部１へ電源ｖ１の供給が開始される。これにより第１の入力部２１１の電源がオンされる。第１の入力部２１１から入力されるＴＶ番組放送データを初めとする映像・音声データは、通信部３１３を介して要求元の情報処理装置に出力されるか、ＴＶ受像機１０２へ出力されるか、又は、ＨＤＤ３１２に記憶される。ステートＳＴ２において、映像・音声データ入力開始要求を送信した情報処理装置から映像・音声データ入力終了要求が送信されると、要求元に割当てられている第１の入力部２１１に対応する電源被供給部１への電源がオフされ、電源状態はステートＳＴ１に戻る。
【００５７】
ステートＳＴ２において、通信部３１３が情報処理装置からローカルネットワークを介して送信されるＴＶ受像機１０２への映像・音声データ出力開始要求を受信すると、電源状態はステートＳＴ３へ遷移する。
【００５８】
ステートＳＴ３では、通信部３１３を有する電源被供給部３には電源ｖ３、電源被供給部１に電源ｖ１、電源被供給部２に電源ｖ２が供給される。すなわち第１の入力部２１１に映像・音声データ入力開始要求を送信した情報処理装置が割当てられ、第１の出力部２１２に映像・音声データ出力開始要求を送信した情報処理装置が割当てられる。そして、映像・音声データ入力開始要求を送信した情報処理装置に割当てられた第１の入力部２１１に対応する電源被供給部１へ電源ｖ１の供給が、さらに映像・音声データ出力開始要求を送信した情報処理装置に割当てられた第１の出力部２１２に対応する電源被供給部２へ電源ｖ２の供給が開始される。これにより第１の出力部２１２の電源もオンされる。第１の出力部２１２から出力されるＴＶ番組放送データを初めとする映像・音声データとは、第１の入力部２１１から入力されるＴＶ番組放送データを初めとする映像・音声データ、及びＨＤＤ３１２に記憶されている映像・音声データである。ステートＳＴ３において、映像・音声データ出力開始要求を送信した情報処理装置から映像・音声データ出力終了要求が送信されると、要求元に割当てられている第１の出力部２１２に対応する電源被供給部２への電源がオフされ、電源状態はステートＳＴ２に戻る。
【００５９】
ステートＳＴ３において、通信部３１３が映像・音声データ入力開始要求を送信した情報処理装置からローカルネットワークを介して送信される映像・音声データ入力終了要求を受信すると、電源状態はステートＳＴ４へ遷移する。
【００６０】
ステートＳＴ４では、通信部３１３を有する電源被供給部３には電源ｖ３、電源被供給部２に電源ｖ２が夫々、供給されるが、電源被供給部１には電源ｖ１が供給されない。すなわち映像・音声データ出力開始要求を送信した情報処理装置によって映像・音声データ出力部として使用される第１の出力部２１２が、映像・音声データ出力開始要求を送信した情報処理装置に割当てられる。そして、該情報処理装置に割当てられた第１の出力部２１２に対応する電源被供給部２へ電源ｖ２の供給が行われる。これにより第１の出力部２１２の電源がオンされる。第１の出力部２１２から出力されるＴＶ番組放送データを初めとする映像・音声データとは、ＨＤＤ３１２に記憶されている映像・音声データである。ステートＳＴ４において、映像・音声データ入力終了要求を送信した情報処理装置から映像・音声データ入力開始要求が送信されると、要求元に割当てられる第１の入力部２１１に対応する電源被供給部１への電源がオンされ、電源状態はステートＳＴ３に戻る。
【００６１】
ステートＳＴ４において、通信部３１３が映像・音声データ出力開始要求を送信した情報処理装置からローカルネットワークを介して送信される映像・音声データ出力終了要求を受信すると、電源状態はステートＳＴ１へ遷移する。また、ステートＳＴ１において、通信部３１３が情報処理装置からローカルネットワークを介して送信されるＴＶ受像機１０２への映像・音声データ出力開始要求を受信すると、電源状態はステートＳＴ４へと遷移する。
【００６２】
次に図６のフローチャートを参照にして、ワイアレスＡＶステーション１０１に入力された映像・音声データをＨＤＤへ記憶開始する場合における処理手順について説明する。
【００６３】
通信部３１３が映像・音声データ入力開始要求を送信した情報処理装置（以下、ワイアレスＡＶステーション１０１に対して要求を送信した情報処理装置を情報処理装置Ａと称す。）からローカルネットワークを介して送信される映像・音声データ入力開始要求を受信すると（ステップ  Ｓ１００）、システム制御部３１１は図４を用いて説明した使用状況管理テーブルを参照にして、第１の入力部２１１の使用状況を調べる（ステップ  Ｓ１０１）。
【００６４】
もし、第１の入力部２１１が使用されていないならば（ステップ  Ｓ１０１  Ｎｏ）、システム制御部３１１は、情報処理装置Ａによって映像・音声データが入力される入力部として第１の入力部２１１を情報処理装置Ａに割当て、第１の入力部２１１に対応する電源被供給部＃１に電源が供給されるように、電源制御部４２を介して電源部４１を制御する（ステップ  Ｓ１０３）。さらに、システム制御部３１１は、情報処理装置Ａによって第１の入力部２１１が使用されていることを示す情報を、図４を用いて説明した使用状況管理テーブルに記録する（ステップ  Ｓ１０４）。ステップＳ１０４において、第１の入力部２１１に対応する［ユーザＩＤ］フィールドに情報処理装置Ａを示すＩＤが登録されるとともに、第１の入力部２１１に対応する［ＯＮ／ＯＦＦステート］フィールドにＯＮステートを示す情報が登録される。次いで、システム制御部３１１は、情報処理装置Ａと通信部３１３との間の通信によって、情報処理装置Ａに対して、第１の入力部２１１の使用許可を示すメッセージを送信する（ステップ  Ｓ１０５）。
【００６５】
一方、もし第１の入力部２１１が使用されているならば（ステップ  Ｓ１０１  Ｙｅｓ）、システム制御部３１１は、この第１の入力部２１１が情報処理装置Ａによって使用されているか否かを調べる（ステップ  Ｓ１０６）。第１の入力部２１１が情報処理装置Ａによって使用されていないならば（ステップ  Ｓ１０７）、システム制御部３１１は、情報処理装置Ａと通信部３１３との間の通信によって、情報処理装置Ａに対して、第１の入力部２１１の使用不許可を示すメッセージを送信する（ステップ  Ｓ１０７）。
【００６６】
ステップ１０５又はステップ１０６（Ｙｅｓ）の処理後、システム制御部３１１は、使用状況管理テーブルを参照にして、第１の出力部２１２の使用状況を調べる（ステップ  Ｓ１０８）。
【００６７】
もし、第１の出力部２１２が使用されているならば（ステップ  Ｓ１０８  Ｙｅｓ）、システム制御部３１１は、この第１の出力部２１２が情報処理装置Ａによって使用されているか否かを調べる（ステップ  Ｓ１０９）。第１の出力部２１２が情報処理装置Ａによって使用されているならば（ステップ  Ｓ１０９  Ｙｅｓ）、情報処理装置Ａからの要求に基いて第１の入力部２１１から入力された映像・音声データを第１の出力部２１２を介してＴＶ受像機１０２へ出力するために、第１の入力部２１１及び第１の出力部２１２は情報処理装置Ａによって既に使用されている場合が考えられる。この場合は、引き続き、第１の入力部２１１から入力された映像・音声データを第１の出力部２１２を介してＴＶ受像機１０２へ出力する（ステップ  Ｓ１１１）。又は、情報処理装置Ａによって第１の出力部２１２が使用されることでＨＤＤ３１２に記憶されている映像・音声データがＴＶ受像機１０２へ出力されている状態において、情報処理装置Ａからの要求に基いてステップＳ１０３乃至１０４の処理によって第１の入力部２１１を使用可能状態とし、例えば第１の入力部２１１から入力された映像・音声データをＨＤＤ３１２へ記憶する場合（ステップ  Ｓ１１０  Ｎｏ）、後述で説明するステップＳ１１２の処理へと移行する。なお、第１の出力部２１２が第１の出力部２１２が情報処理装置Ａ以外の情報処理装置から使用されている場合、つまり情報処理装置Ａからの要求に基いてステップＳ１０３乃至１０４の処理によって第１の入力部２１１を使用可能状態とし、例えば第１の入力部から入力された映像・音声データをＨＤＤ３１２へ記憶する場合（ステップ  Ｓ１０９  Ｎｏ）、後述で説明するステップＳ１１２の処理へと移行する。
【００６８】
もし、第１の出力部２１２が使用されていない場合（ステップ  Ｓ１０８  Ｎｏ）、第１の出力部２１２が情報処理装置Ａ以外の情報処理装置から使用されている場合（ステップ  Ｓ１０９  Ｎｏ）、又は第１の出力部２１２が情報処理装置Ａから使用されているものの、第１の入力部２１１から入力された映像・音声データを第１の出力部２１２を介してＴＶ受像機１０２へ出力しない場合（ステップ  Ｓ１１０  Ｎｏ）において、第１の入力部２１１から入力された映像・音声データをＨＤＤ３１２へ記憶する場合（ステップ  Ｓ１１２  Ｙｅｓ）、システム制御部３１１は、第１の入力部２１１から入力された映像・音声データをＨＤＤ３１２へと記憶させる（ステップ  Ｓ１１３）。一方、第１の入力部２１１から入力される映像・音声データをワイアレスＡＶステーション１０１に記憶せずに、情報処理装置Ａに対して出力する場合（ステップ  Ｓ１１２  Ｎｏ）、システム制御部３１１は第１の入力部２１２から入力された映像・音声データをＨＤＤ３１２記憶せず、情報処理装置Ａに出力する（ステップ  Ｓ１１４）。
【００６９】
次に図７のフローチャートを参照にして、ワイアレスＡＶステーション１０１に入力された映像・音声データのＨＤＤ３１２への記憶終了する場合における処理手順について説明する。
【００７０】
通信部３１３が情報処理装置Ａからローカルネットワークを介して送信される映像・音声データ入力終了要求を受信すると（ステップ  Ｓ１２０）、システム制御部３１１は図４を用いて説明した使用状況管理テーブルを参照にして、第１の入力部２１１の使用状況を調べる（ステップ  Ｓ１２１）。第１の入力部２１１は、入力された映像・音声データのＨＤＤ３１２への記憶等といった用途のため情報処理装置Ａによって使用中である。そこで、システム制御部３１１は、第１の入力部２１１を介して入力された映像・音声データがＨＤＤ３１２へ記憶中であるか否かを調べる（ステップ  Ｓ１２２）。もし、入力された映像・音声データがＨＤＤ３１２へ記憶中であるならば（ステップ  Ｓ１２２  Ｙｅｓ）、システム制御部３１１は第１の入力部２１１を介して入力された映像・音声データのＨＤＤ３１２への記憶を停止させる（ステップ  Ｓ１２３）。一方、入力された映像・音声データがＨＤＤ３１２へ記憶中では無く、情報処理装置Ａへ出力中であるならば（ステップ  Ｓ１２２  Ｎｏ）、システム制御部３１１は第１の入力部２１１を介して入力された映像・音声データの情報処理装置Ａへの出力を停止させる（ステップ  Ｓ１２４）。
【００７１】
ステップＳ１２３又はステップＳ１２４の処理が行われた後、システム制御部３１１は、映像・音声データが第１の出力部２１２へ出力されているか否かを確認する。この第１の出力部２１２への映像・音声データの出力の形態として、第１の入力部２１１から入力された映像・音声データが第１の出力部２１２を介してＴＶ受像機１０２へ出力される場合、第１の入力部２１１から入力された映像・音声データがＨＤＤ３１２へ記憶若しくは情報処理装置Ａに出力されながら第１の出力装置２１２を介してＴＶ受像機１０２へ出力される場合、又は第１の入力部２１１から入力された映像・音声データがＨＤＤ２１１へ記憶され、同時にＨＤＤ２１１へ記憶済みの映像・音声データを第１の出力部２１２を介してＴＶ受像機１０２へ出力される場合の３つの形態が考えられる。この３つの場合の何れにしても、第１の出力部２１２が使用されている場合であり（ステップ  Ｓ１２５  Ｙｅｓ）、これらの場合においてシステム制御部３１１は、情報処理装置Ａに対して第２の出力部２１２を介してＴＶ受像機１０２へ映像・音声データを出力中であることを通知する（ステップ  Ｓ１２６）。
【００７２】
一方、映像・音声データが第１の出力部２１２から出力されていない場合（ステップ  Ｓ１２５  Ｎｏ）、ステップＳ１２４又はステップ１２５の処理によって、システム制御部３１１は第１の入力部２１１から入力された映像・音声データのＨＤＤ３１２への記憶停止処理又は情報処理装置Ａへの出力停止処理を行っているので、情報処理装置Ａによって映像・音声データが入力される入力部として割当てられた第１の入力部２１１に対応する電源被供給部＃１への電源供給がオフされるように、電源制御部４２を介して電源部４１を制御する（ステップ  Ｓ１２７）。
【００７３】
さらに、システム制御部３１１は、情報処理装置Ａによって第１の入力部２１１が使用されていないことを示す情報を、図４を用いて説明した使用状況管理テーブルに記録する（ステップ  Ｓ１２８）。ステップＳ１２８において、第１の入力部２１１に対応する［ユーザＩＤ］フィールドに登録されている情報処理装置Ａを示すＩＤがクリアされるとともに、第１の入力部２１１に対応する［ＯＮ／ＯＦＦステート］フィールドにＯＦＦステートを示す情報が登録される。次いで、システム制御部３１１は、情報処理装置Ａと通信部３１３との間の通信によって、情報処理装置Ａに対して、第１の入力部２１１を介して映像・音声データを入力することが不可能であることを示すメッセージを送信する（ステップ  Ｓ１２９）。
【００７４】
次に図８のフローチャートを参照にして、ＨＤＤ３１２に記憶されている映像・音声データを第１の出力部２１２を介してＴＶ受像機１０２へ出力を開始させる場合における処理手順について説明する。
【００７５】
通信部３１３が情報処理装置Ａからローカルネットワークを介して送信される映像・音声データ出力開始要求を受信すると（ステップ  Ｓ１３０）、システム制御部３１１は図４を用いて説明した使用状況管理テーブルを参照にして、第１の出力部２１２の使用状況を調べる（ステップ  Ｓ１３１）。
【００７６】
もし、第１の出力部２１２が使用されていないならば（ステップ  Ｓ１３２  Ｎｏ）、システム制御部３１１は、情報処理装置Ａによって映像・音声データが出力される出力部として第１の出力部２１２を情報処理装置Ａに割当て、第１の出力部２１２に対応する電源被供給部＃２に電源が供給されるように、電源制御部４２を介して電源部４１を制御する（ステップ  Ｓ１３３）。さらに、システム制御部３１１は、情報処理装置Ａによって第１の出力部２１２が使用されていることを示す情報を、図４を用いて説明した使用状況管理テーブルに記録する（ステップ  Ｓ１３４）。ステップＳ１３４において、第１の出力部２１２に対応する［ユーザＩＤ］フィールドに情報処理装置Ａを示すＩＤが登録されるとともに、第１の出力部２１２に対応する［ＯＮ／ＯＦＦステート］フィールドにＯＮステートを示す情報が登録される。次いで、システム制御部３１１は、情報処理装置Ａと通信部３１３との間の通信によって、情報処理装置Ａに対して、第１の出力部２１２の使用許可を示すメッセージを送信する（ステップ  Ｓ１３５）。
【００７７】
一方、もし第１の出力部２１２が使用されているならば（ステップ  Ｓ１３２  Ｙｅｓ）、システム制御部３１１は、この第１の出力部２１２が情報処理装置Ａによって使用されているか否かを調べる（ステップ  Ｓ１３６）。第１の出力部２１２が情報処理装置Ａによって使用されていないならば（ステップ  Ｓ１３６  Ｎｏ）、システム制御部３１１は、情報処理装置Ａと通信部３１３との間の通信によって、情報処理装置Ａに対して、第１の出力部２１２の使用不許可を示すメッセージを送信する（ステップ  Ｓ１３７）。
【００７８】
ステップ１３５又はステップ１３６（Ｙｅｓ）の処理後、システム制御部３１１は、使用状況管理テーブルを参照にして、第１の入力部２１１の使用状況を調べる（ステップ  Ｓ１３８）。
【００７９】
もし、第１の入力部２１１が使用されているならば（ステップ  Ｓ１３８  Ｙｅｓ）、システム制御部３１１は、この第１の入力部２１１が情報処理装置Ａによって使用されているか否かを調べる（ステップ  Ｓ１３９）。第１の入力部２１１が情報処理装置Ａによって使用されているならば（ステップ  Ｓ１３９  Ｙｅｓ）、情報処理装置Ａからの要求に基いて第１の入力部２１１から入力された映像・音声データを第１の出力部２１２を介してＴＶ受像機１０２へ出力するために、第１の入力部２１１及び第１の出力部２１２は情報処理装置Ａによって既に使用されている場合が考えられる。この場合は、引き続き、第１の入力部２１１から入力された映像・音声データを第１の出力部２１２を介してＴＶ受像機１０２へ出力する（ステップ  Ｓ１４１）。又は、情報処理装置Ａによって第１の入力部２１１が使用されることで、例えば第１の入力部２１１を介して入力された映像・音声データがＨＤＤ３１２へ記憶されている状態において、情報処理装置Ａからの要求に基いてステップＳ１３３乃至１３４の処理によって第１の出力部２１２を使用可能状態とし、ＨＤＤ３１２に記憶されている映像・音声データを第１の出力部２１２を介して出力する場合（ステップ  Ｓ１４０  Ｎｏ）、後述で説明するステップＳ１４２の処理へと移行する。なお、第１の入力部２１１が第１の入力部２１１が情報処理装置Ａ以外の情報処理装置から使用されている場合、つまり情報処理装置Ａからの要求に基いてステップＳ１３３乃至１３４の処理によって第１の出力部２１２を使用可能状態とし、ＨＤＤ３１２に記憶されている映像・音声データを第１の出力部２１２から出力する場合（ステップ  Ｓ１３９  Ｎｏ）、後述で説明するステップＳ１４２の処理へと移行する。
【００８０】
次に図９のフローチャートを参照にして、ＨＤＤ３１２に記憶されている映像・音声データを第１の出力部２１２を介してＴＶ受像機１０２への出力を終了させる場合における処理手順について説明する。
【００８１】
通信部３１３が情報処理装置Ａからローカルネットワークを介して送信される映像・音声データ出力終了要求を受信すると（ステップ  Ｓ１５０）、システム制御部３１１は図４を用いて説明した使用状況管理テーブルを参照にして、第１の出力部２１２の使用状況を調べる（ステップ  Ｓ１５１）。第１の出力部２１２は、ＨＤＤ３１２に記憶されている映像・音声データをＴＶ受像機１０２へ出力するといった用途のため情報処理装置Ａによって使用中である。そこで、システム制御部３１１は、ＨＤＤ３１２に記憶されている映像・音声データが第１の出力部２１２を介してＴＶ受像機１０２へ出力中であるか否かを調べる。この際、使用状況管理テーブルの［使用中のコンポーネント］が第１の出力部２１２に対応する［ソース］フィールドの内容を参照にする（ステップ  Ｓ１５２）。
【００８２】
もし、ＨＤＤ３１２に記憶されている映像・音声データが第１の出力部２１２を介してＴＶ受像機１０２へ出力中であるならば（ステップ  Ｓ１５２  Ｙｅｓ）、システム制御部３１１は、ＨＤＤ３１２に記憶されている映像・音声データの第１の出力部２１２を介したＴＶ受像機１０２への出力を停止させる（ステップ  Ｓ１５４）。
【００８３】
一方、ＨＤＤ３１２に記憶されている映像・音声データが第１の出力部２１２を介してＴＶ受像機１０２へ出力中でないならば（ステップ  Ｓ１５２  Ｎｏ）、システム制御部３１１は、第１の入力部２１１を介して入力された映像・音声データが第１の出力部２１２を介してＴＶ受像機１０２へ出力されている、つまり、第１の入力部２１１及び第１の出力部２１２共に使用中であると判断し、情報処理装置Ａに対して、第１の入力部２１１を介して入力された映像・音声データは、第１の出力部２１２を介してＴＶ受像機１０２へ出力中であることを通知する（ステップ  Ｓ１５３）。
【００８４】
ステップＳ１５４の処理が行われた後、第１の出力部２１２は情報処理装置Ａによって使用されていないので、システム制御部３１１は情報処理装置Ａによって映像・音声データが出力される出力部として割当てられた第１の出力部２１２に対応する電源被供給部＃２への電源供給がオフされるように、電源制御部４２を介して電源部４１を制御する（ステップ  Ｓ１５５）。
【００８５】
さらに、システム制御部３１１は、情報処理装置Ａによって第１の出力部２１２が使用されていないことを示す情報を、図４を用いて説明した使用状況管理テーブルに記録する（ステップ  Ｓ１５６）。ステップＳ１５６において、第１の出力部２１２に対応する［ユーザＩＤ］フィールドに登録されている情報処理装置Ａを示すＩＤがクリアされるとともに、第１の出力部２１２に対応する［ＯＮ／ＯＦＦステート］フィールドにＯＦＦステートを示す情報が登録される。次いで、システム制御部３１１は、情報処理装置Ａと通信部３１３との間の通信によって、情報処理装置Ａに対して、第１の出力部２１２を介して映像・音声データを出力することが不可能であることを示すメッセージを送信する（ステップ  Ｓ１５７）。
【００８６】
以上のように、本実施形態によれば、通信部３１３、第１の入力部２１１及び第１の出力部２１２に対する電源供給を夫々、独立に制御可能であるので、例えば、例えばワイアレスＡＶステーション１０１がルータとしてのみ機能している場合、又はＨＤＤ３１２に記憶されている映像・音声データを通信部３１３を介して情報処理装置に送信している場合のように、外部からの映像・音声データの入力処理及び外部への映像・音声データの出力処理を行わない場合は、第１の入力部２１１及び第１の出力部２１２夫々への電源供給を停止することが可能となる。
【００８７】
また、ローカルネットワーク上の情報処理装置から送信された映像・音声データ入力要求を通信部３１３が受信した場合、システム制御部３１１がローカルネットワーク上の情報処理装置群による第１の入力部２１１及び第１の出力部２１２の使用状況を確認することで、第１の入力部２１１及び第１の出力部２１２への電源供給が個別にオン／オフ制御される。従って、例えば、外部から第１の入力部２１１を介して入力された映像・音声データを第１の出力部２１２を介してＴＶ受像機１０２へ出力せずに該映像・音声データをＨＤＤ３１２へ記憶させる場合、第１の入力部２１１への電源供給をオンにし、第１の出力部２１２への電源供給をオフにすることで、消費電力を軽減することが可能となる。
【００８８】
さらに、ローカルネットワーク上の情報処理装置から送信された映像・音声データ出力要求を通信部３１３が受信した場合、システム制御部３１１がローカルネットワーク上の情報処理装置群による第１の入力部２１１及び第１の出力部２１２の使用状況を確認することで、第１の入力部２１１及び第１の出力部２１２への電源供給が個別にオン／オフ制御される。従って、例えば、ＨＤＤ３１２に記憶されている映像・音声データを第１の出力部２１２を介してＴＶ受像機１０２へ出力する場合、第１の入力部２１１への電源供給をオフにし、第１の出力部２１２への電源供給をオンにすることで、消費電力を軽減することが可能となる。
【００８９】
続いて、図１０を参照にして、本発明の第２の実施形態に係るワイアレスＡＶステーション１０１のシステム構成について説明する。
【００９０】
図１０に示されるワイアレスＡＶステーション１０１のシステム構成は、図２を用いて説明したシステム構成の一部と共通する。そこで、図２を用いて説明したシステム構成と異なる部分の説明を主に行う。
【００９１】
ワイアレスＡＶステーション１０１は、ＡＶ部２１、システム部３１、電源部４１及び電源制御部４２を備えている。ＡＶ部２１は、第２の入力部２１４、第２の出力部２１５、ＭＰＥＧ処理部２１６、及びＰＣＩバスインターフェイス（ＰＣＩ  Ｉ／Ｆ）２１３を具備する。第２の入力部２１４、第２の出力部２１５及びＭＰＥＧ処理部２１６は、夫々、電源ｖ４、電源ｖ５及び電源ｖ６によって駆動される。これらの電源ｖ４、電源ｖ５及び電源ｖ６は、電源制御部４２から供給される。
【００９２】
第２の入力部２１４は、ＴＶチューナ２２１、ビデオデコーダ２２２、及びオーディオアナログデジタルコンバータ（ＡＤＣ）２２３から構成される。第２の出力部２１５は、ビデオエンコーダ２３２、及びオーディオデジタルアナログコンバータ（ＤＡＣ）２３３から構成される。さらに、ＭＰＥＧ処理部２１６は、ＭＰＥＧエンコーダ２２４及びＭＰＥＧデコーダ２３１から構成される。
【００９３】
ＴＶチューナ２２１は、例えば、家庭内の無線又は有線のローカルネットワーク１３、１４に接続されたノートブック型コンピュータ１０３及びデスクトップ型コンピュータ１０４から要求された放送番組に関するデータを受信するデバイスである。ビデオデコーダ２２２は、ＴＶチューナ２２１及び外部機器１０５から出力された映像信号をデジタル映像信号へと変換する。オーディオＡＤＣ２２３は、ＴＶチューナ２２１及び外部機器１０５から出力される音声信号をデジタル音声信号へと変換する。
【００９４】
ビデオデコーダ２２１で生成されたデジタル映像信号及びオーディオＡＤＣ２２３で生成されたデジタル音声信号がＴＶ受像機１０２へ出力される場合、デジタル映像信号はビデオエンコーダ２３２へ入力されアナログ映像信号へと変換され、デジタル音声信号はオーディオＤＡＣ２３３へ入力されアナログ音声信号へと変換され、これらのアナログ映像信号及びアナログ音声信号は同期を保ってＴＶ受像機１０２へと出力される。
【００９５】
一方、ビデオデコーダ２２１で生成されたデジタル映像信号及びオーディオＡＤＣ２２３で生成されたデジタル音声信号を、要求元の情報処理装置に送信する場合、又は、システム部３１内のＨＤＤ３１２に記憶する場合は、これらのデジタル映像信号及びデジタル音声信号をＭＰＥＧエンコーダ２２４でＭＰＥＧ方式に従って符号圧縮化し、ＰＣＩバスインターフェイス（ＰＣＩ  Ｉ／Ｆ）２１３、及びバス１０を介してシステム部３１に送信される。
【００９６】
次に、図１１を参照して、本発明の第２の実施形態に係るワイアレスＡＶステーション１０１内に配される電源供給系統を説明する。
【００９７】
ワイアレスＡＶステーション１０１を構成するコンポーネントは、第４乃至第６の３つの電源被供給部に分類される。第２の入力部２１４内のＴＶチューナ２２１、ビデオデコーダ２２２、オーディオＡＤＣ２２３は第４の電源被供給部（＃電源被供給部４）に属しており、このコンポーネントに対して電源ｖ４が供給される。第２の出力部２１５内のビデオエンコーダ２３２、オーディオＤＡＣ２３３は第５の電源被供給部（＃電源被供給部５）に属しており、このコンポーネントに対して電源ｖ５が供給される。
【００９８】
ＭＰＥＧ処理部２１６内のＭＰＥＧエンコーダ２２４、ＭＰＥＧデコーダ２３１（エンコード・デコード処理部）は第６の電源被供給部（＃電源被供給部６）に属しており、このコンポーネントに対して電源ｖ６が供給される。さらに、バス１０に接続されるコンポーネント群、即ちシステム部３１を構成するシステム制御部３１１、ＨＤＤ３１２、通信部３１３、リモコンコントローラ３１４及びＰＣＩ／ＩＦ２１３は第３の電源被供給部（＃電源被供給部３）に属しており、このコンポーネントに対して電源ｖ３が供給される。
【００９９】
電源部４１は電源ｖ４、ｖ５、ｖ６、ｖ３の供給を夫々独立して制御することが可能である。電源部４１は電源ｖ４、ｖ５、ｖ６、ｖ３の夫々に対応する４つの電源出力部を具備しており、電源制御部４２からの電源制御信号４２ａに応じて４つの電源出力部毎に設けられるスイッチ回路をオン／オフ制御すること等で、電源ｖ４、ｖ５、ｖ６、ｖ３の供給を夫々個別に制御できるよう構成される。ワイアレスＡＶステーション１０１の本体電源がオンされる期間中は、電源ｖ３が＃電源被供給部３に供給される。電源ｖ４、電源ｖ５及び電源ｖ６は、夫々適時、オン／オフされる。
【０１００】
図１２には、システム制御部３１１が第２の入力部２１４、第２の出力部２１５、及びＭＰＥＧ処理部２１６夫々の使用状況を管理するために使用する、本発明の第２の実施形態に係る使用状況管理テーブルの例が示されている。
【０１０１】
使用状況管理テーブルには、各使用中のコンポーネント毎に、［ソース］［ユーザＩＤ］［ＯＮ／ＯＦＦステート］［常時ＯＮ／常時ＯＦＦ］に関する内容が格納される。［ソース］は、該当するコンポーネントに伝送されるソースデータの種類を示す。［ユーザＩＤ］は、該当するコンポーネントを使用中の情報処理装置を識別するＩＤを示す。［ＯＮ／ＯＦＦステート］は、該当するコンポーネントが使用中であるか否か、つまり、現在、電源が供給されているか否かを示す。［常時ＯＮ／常時ＯＦＦ］は、該当するコンポーネントに対して、常時、電源を供給するか否かを示す。
【０１０２】
次に図１３を参照して、通信部３１３、第２の入力部２１４、第２の出力部２１５、ＭＰＥＧ処理部２１６夫々の電源供給状態がどのように遷移するかについて説明する。
【０１０３】
ワイアレスＡＶステーション１０１の電源がオンされると、ワイアレスＡＶステーション１０１の電源状態はステートＳＴ５（初期状態）となる。ステートＳＴ５において、通信部３１３を有する電源被供給部３には電源ｖ３が供給されるが、電源被供給部４（第２の入力部２１４）、電源被供給部５（第２の出力部２１５）及び電源被供給部６（ＭＰＥＧ処理部２１６）に対する、電源ｖ４、電源ｖ５及び電源ｖ６の供給はオフの状態にある。ワイアレスＡＶステーション１０１がルータとして機能している場合、又はＨＤＤ３１２に記憶されている放送番組データ、コンテンツデータを通信部３１３を介して情報処理装置に送信する場合は、第２の入力部２１４、第２の出力部２１５及びＭＰＥＧ処理部２１６は使用されないので、ワイアレスＡＶステーション１０１は、ステートＳＴ５に維持される。
【０１０４】
ステートＳＴ５において、通信部３１３が情報処理装置であるノートブック型コンピュータ１０３又はデスクトップ型コンピュータ１０４からローカルネットワークを介して送信されるＴＶ放送番組データ受信要求といった映像・音声データ入力開始要求を受信すると、電源状態はステートＳＴ６へ遷移する。ステートＳＴ６では、通信部３１３を有する電源被供給部３には電源ｖ３、電源被供給部４に電源ｖ４、電源被供給部６に電源ｖ６が夫々、供給されるが、電源被供給部５には電源ｖ５が供給されない。すなわち映像・音声データ入力開始要求を送信した情報処理装置によって映像・音声データ入力部として使用される第２の入力部２１４、及び第２の入力部２１４から取り込まれた映像・音声データをＭＰＥＧ処理するＭＰＥＧ処理部２１６が、映像・音声データ入力開始要求を送信した情報処理装置に割当てられる。そして、情報処理装置に割当てられた第２の入力部２１４に対応する電源被供給部４への電源ｖ４の供給、及び情報処理装置に割り当てられたＭＰＥＧ処理部２１６に対応する電源被供給部６への電源ｖ６の供給が開始される。これにより第２の入力部２１４及びＭＰＥＧ処理部２１６の電源がオンされる。第２の入力部２１４から入力されるＴＶ番組放送データを初めとする映像・音声データは、通信部３１３を介して要求元の情報処理装置に出力されるか、又は、ＨＤＤ３１２に記憶される。ステートＳＴ６において、映像・音声データ入力開始要求を送信した情報処理装置から映像・音声データ入力終了要求が送信されると、要求元に割当てられている第２の入力部２１４に対応する電源被供給部４への電源、及びＭＰＥＧ処理部２１６に対応する電源被供給部６への電源がオフされ、電源状態はステートＳＴ５に戻る。
【０１０５】
ステートＳＴ６において、通信部３１３が情報処理装置からローカルネットワークを介して送信されるＴＶ受像機１０２への映像・音声データ出力開始要求を受信すると、電源状態はステートＳＴ７へ遷移する。
【０１０６】
ステートＳＴ７では、通信部３１３を有する電源被供給部３には電源ｖ３、電源被供給部４に電源ｖ４、電源被供給部５に電源ｖ５、電源被供給部６に電源ｖ６が供給される。すなわち第２の入力部２１４、ＭＰＥＧ処理部２１６に映像・音声データ入力開始要求を送信した情報処理装置が割当てられ、第２の出力部２１５に映像・音声データ出力開始要求を送信した情報処理装置が割当てられる。そして、映像・音声データ入力開始要求を送信した情報処理装置に割当てられた第２の入力部２１４に対応する電源被供給部４へ電源ｖ４、及びＭＰＥＧ処理部２１６に対応する電源被供給部６へ電源ｖ６の供給が、映像・音声データ出力開始要求を送信した情報処理装置に割当てられた第２の出力部２１５に対応する電源被供給部５へ電源ｖ５の供給が開始される。これにより第２の出力部２１５の電源もオンされる。第２の出力部２１５から出力されるＴＶ番組放送データを初めとする映像・音声データとは、第２の入力部２１４から入力されるＴＶ番組放送データを初めとする映像・音声データ、及びＨＤＤ３１２に記憶されている映像・音声データである。
【０１０７】
ステートＳＴ７において、映像・音声データ出力開始要求を送信した情報処理装置から映像・音声データ出力終了要求が送信されると、要求元に割当てられている第２の出力部２１５に対応する電源被供給部５への電源がオフされ、電源状態はステートＳＴ６に戻る。
【０１０８】
ステートＳＴ７において、通信部３１３が映像・音声データ入力開始要求を送信した情報処理装置からローカルネットワークを介して送信される映像・音声データ入力終了要求を受信すると、電源状態はステートＳＴ８へ遷移する。
【０１０９】
ステートＳＴ８では、通信部３１３を有する電源被供給部３には電源ｖ３、電源被供給部５に電源ｖ５、電源被供給部６に電源ｖ６が夫々、供給されるが、電源被供給部４には電源ｖ４が供給されない。すなわち映像・音声データ出力開始要求を送信した情報処理装置によって映像・音声データ出力部として使用される第２の出力部２１５、及び第２の出力部２１５を介して出力される映像・音声データをＭＰＥＧ処理することで生成するＭＰＥＧ処理部２１６が、映像・音声データ出力開始要求を送信した情報処理装置に割当てられる。そして、該情報処理装置に割当てられた第２の出力部２１５に対応する電源被供給部５へ電源ｖ５の供給、ＭＰＥＧ処理部２１６に対応する電源被供給部６へ電源ｖ６の供給が行われる。これにより第２の出力部２１５及びＭＰＥＧ処理部２１６の電源がオンされる。第２の出力部２１５から出力されるＴＶ番組放送データを初めとする映像・音声データとは、ＨＤＤ３１２に記憶されている映像・音声データである。
【０１１０】
ステートＳＴ８において、映像・音声データ入力終了要求を送信した情報処理装置から映像・音声データ入力開始要求が送信されると、要求元に割当てられる第２の入力部２１４に対応する電源被供給部４への電源がオンされ、電源状態はステートＳＴ７に戻る。
【０１１１】
ステートＳＴ８において、通信部３１３が映像・音声データ出力開始要求を送信した情報処理装置からローカルネットワークを介して送信される映像・音声データ出力終了要求を受信すると、電源状態はステートＳＴ５へ遷移する。また、ステートＳＴ５において、通信部３１３が情報処理装置からローカルネットワークを介して送信されるＴＶ受像機１０２への映像・音声データ出力開始要求を受信すると、電源状態はステートＳＴ８へと遷移する。
【０１１２】
さらに、ステートＳＴ５において、通信部３１３が情報処理装置であるノートブック型コンピュータ１０３又はデスクトップ型コンピュータ１０４からローカルネットワークを介して送信される映像・音声データ入出力開始要求を受信すると、電源状態はステートＳＴ９へ遷移する。
【０１１３】
ステートＳＴ９では、通信部３１３を有する電源被供給部３には電源ｖ３、電源被供給部４に電源ｖ４、電源被供給部に電源ｖ５を供給する。すなわち、映像入出力開始要求を送信した情報処理装置によって映像・音声データ入力部として使用される第２の入力部２１４、及び映像・音声データ出力部として使用される第２の出力部２１５が、映像入出力開始要求を送信した情報処理装置に割当てられる。そして、該情報処理装置に割当てられた第２の入力部２１４に対応する電源被供給部４へ電源ｖ４の供給、及び第２の出力部２１５に対応する電源被供給部５へ電源ｖ５の供給が行われる。これにより、第２の入力部２１４及び第２の出力部２１５の電源がオンされる。そして、第２の入力部２１４から入力された映像・音声データは、第２の出力部２１５を介してＴＶ受像機１０２へ出力される。
【０１１４】
ステートＳＴ９において、映像・音声データ入出力開始要求を送信した情報処理装置から映像・音声データ入出力終了要求が送信されると、要求元に割当てられる第２の入力部２１４に対応する電源被供給部４への電源、及び第２の出力部２１５に対応する電源被供給部５への電源がオフされ、電源状態はステートＳＴ５に戻る。
【０１１５】
ステートＳＴ９において、通信部３１３が映像・音声データ入出力開始要求を送信した情報処理装置からローカルネットワークを介して送信される映像・音声データ記憶開始要求を受信すると、電源状態はステートＳＴ７へ遷移する。すなわち、第２の入力部２１４から入力された映像・音声データをＨＤＤ３１２に記憶させる、又は要求元の情報処理装置へ出力させる等の動作を行わせるために、第２の入力部２１４及び第２の出力部２１５のみならず、ＭＰＥＧ処理部２１６を映像・音声データ記憶開始要求を送信した情報処理装置に割当てる。この割当て動作によって、第２の入力部２１４から入力された映像・音声データを第２の出力部２１５を介してＴＶ受像機１０２へ出力するのみならず、該第２の入力部２１４から入力された映像・音声データのＨＤＤ３１２への記憶、又は要求元の情報処理装置への出力といった動作も同時に行おうことが可能となる。
【０１１６】
ステートＳＴ７において、映像・音声データ記憶開始要求を送信した情報処理装置から映像・音声データ記憶終了要求が送信されると、要求元に割当てられるＭＰＥＧ処理部２１６に対応する電源被供給部６への電源がオフされ、電源状態はステートＳＴ９に戻る。
【０１１７】
次に図１４のフローチャートを参照にして、ワイアレスＡＶステーション１０１に入力された映像・音声データをＴＶ受像機１０２へ出力開始させる場合における処理手順について説明する。
【０１１８】
通信部３１３が映像・音声データＴＶ出力開始要求（映像・音声データ入出力開始要求）を送信した情報処理装置（以下、ワイアレスＡＶステーション１０１に対して要求を送信した情報処理装置を情報処理装置Ａと称す。）からローカルネットワークを介して送信される映像・音声データＴＶ出力開始要求を受信すると（ステップ  Ｓ２００）、システム制御部３１１は図１２を用いて説明した使用状況管理テーブルを参照にして、第２の入力部２１４、第２の出力部２１５及びＭＰＥＧ処理部２１６の使用状況を調べる（ステップ  Ｓ２０１）。
【０１１９】
もし、第２の入力部２１４が情報処理装置Ａ以外の情報処理装置によって使用されているならば（ステップ  Ｓ２０２  Ｙｅｓ）、システム制御部３１１は、情報処理装置Ａと通信部３１３との間の通信によって、情報処理装置Ａに対して、第２の入力部２１４の使用不許可を示すメッセージを送信する（ステップ  Ｓ１０３）。一方、第２の入力部２１４が情報処理装置Ａ以外の情報処理装置によって使用されていないならば（ステップ  Ｓ２０２  Ｎｏ）、システム制御部３１１は第２の出力部２１５が使用されているか否かを調べる（ステップ  Ｓ２０４）。   もし、第２の出力部２１５が情報処理装置Ａ以外の情報処理装置によって使用されているならば（ステップ  Ｓ２０４  Ｙｅｓ）、システム制御部３１１は、情報処理装置Ａと通信部３１３との間の通信によって、情報処理装置Ａに対して、第２の出力部２１５の使用不許可を示すメッセージを送信する（ステップ  Ｓ２０５）。一方、第２の出力部２１５が情報処理装置Ａ以外の情報処理装置によって使用されていないならば（ステップ  Ｓ２０４  Ｎｏ）、システム制御部３１１は、情報処理装置ＡがＭＰＥＧ処理部２１６を使用しているか否かを調べる（ステップ  Ｓ２０６）。
【０１２０】
もし、ＭＰＥＧ処理部２１６が情報処理装置Ａによって使用されているならば（ステップ  Ｓ２０６  Ｙｅｓ）、システム制御部３１１は、情報処理装置Ａに対するＭＰＥＧ処理部２１６の割当てを解除し、ＭＰＥＧ処理部２１６に対応する電源被供給部＃６に電源が供給されないように、電源制御部４２を介して電源部４１を制御する（ステップ  Ｓ２０７）。システム制御部３１１は、情報処理装置ＡによってＭＰＥＧ処理部２１６が使用されていないことを示す情報を、図１２を用いて説明した使用状況管理テーブルに記録する（ステップ  Ｓ２０８）。ステップＳ２０８において、ＭＰＥＧ処理部２１６に対応する［ユーザＩＤ］フィールドに登録されていた情報処理装置Ａを示すＩＤをクリアするとともに、ＭＰＥＧ処理部２１６に対応する［ＯＮ／ＯＦＦステート］フィールドにＯＦＦステートを示す情報が登録される。
【０１２１】
一方、ＭＰＥＧ処理部２１６が情報処理装置Ａによって使用されていないならば（ステップ  Ｓ２０６  Ｎｏ）、システム制御部３１１は、映像・音声データが入力される入力部として第２の入力部２１４および映像・音声データが出力される出力部として第２の出力部２１５を、情報処理装置Ａに割当て、さらに、第２の入力部２１４に対応する電源被供給部＃４および第２の出力部２１５に対応する電源被供給部＃５の夫々に電源が供給されるように、電源制御部４２を介して電源部４１を制御する（ステップ  Ｓ２０９）。さらに、システム制御部３１１は、情報処理装置Ａによって第２の入力部２１４及び第２の出力部１１５が使用されていることを示す情報を、図１２を用いて説明した使用状況管理テーブルに記録する（ステップ  Ｓ２１０）。ステップＳ２１０において、第２の入力部２１４及び第２の出力部２１５に対応する［ユーザＩＤ］フィールドに情報処理装置Ａを示すＩＤが登録されるとともに、第２の入力部２１４及び第２の出力部２１５に対応する［ＯＮ／ＯＦＦステート］フィールドにＯＮステートを示す情報が登録される。
【０１２２】
次に図１５のフローチャートを参照にして、ワイアレスＡＶステーション１０１に入力された映像・音声データをＴＶ受像機１０２へ出力終了させる場合における処理手順について説明する。
【０１２３】
通信部３１３が映像・音声データＴＶ出力終了要求（映像・音声データ入出力終了要求）を送信した情報処理装置（以下、ワイアレスＡＶステーション１０１に対して要求を送信した情報処理装置を情報処理装置Ａと称す。）からローカルネットワークを介して送信される映像・音声データＴＶ出力終了要求を受信すると（ステップ  Ｓ２２０）、システム制御部３１１は図１２を用いて説明した使用状況管理テーブルを参照にして、第２の入力部２１４、第２の出力部２１５及びＭＰＥＧ処理部２１６の使用状況を調べる（ステップ  Ｓ２２１）。
【０１２４】
もし、第２の入力部２１４が情報処理装置Ａ以外の情報処理装置によって使用されていないならば（ステップ  Ｓ２２２  Ｎｏ）、システム制御部３１１は、情報処理装置Ａと通信部３１３との間の通信によって、情報処理装置Ａに対して、第２の入力部２１４が使用可能であることを示すメッセージを送信する（ステップ  Ｓ２２３）。一方、第２の入力部２１４が情報処理装置Ａ以外の情報処理装置によって使用されていれば（ステップ  Ｓ２２２  Ｙｅｓ）、システム制御部３１１は第２の出力部２１５が使用されているか否かを調べる（ステップ  Ｓ２２４）。
【０１２５】
もし、第２の出力部２１５が情報処理装置Ａ以外の情報処理装置によって使用されていないならば（ステップ  Ｓ２２４  Ｎｏ）、システム制御部３１１は、情報処理装置Ａと通信部３１３との間の通信によって、情報処理装置Ａに対して、第２の出力部２１５が使用可能であることを示すメッセージを送信する（ステップ  Ｓ２２５）。一方、第２の出力部２１５が情報処理装置Ａ以外の情報処理装置によって使用されているならば（ステップ  Ｓ２２４  Ｙｅｓ）、システム制御部３１１は、情報処理装置ＡがＭＰＥＧ処理部２１６を使用しているか否かを調べる（ステップ  Ｓ２２６）。
【０１２６】
もし、ＭＰＥＧ処理部２１６が情報処理装置Ａによって使用されているならば（ステップ  Ｓ２２６  Ｙｅｓ）、システム制御部３１１は、情報処理装置Ａに対するＭＰＥＧ処理部２１６の割当てを解除し、ＭＰＥＧ処理部２１６に対応する電源被供給部＃６に電源が供給されないように、電源制御部４２を介して電源部４１を制御する（ステップ  Ｓ２２７）。
【０１２７】
システム制御部３１１は、情報処理装置ＡによってＭＰＥＧ処理部２１６が使用されていないことを示す情報を、図１２を用いて説明した使用状況管理テーブルに記録する（ステップ  Ｓ２２８）。ステップＳ２２８において、ＭＰＥＧ処理部２１６に対応する［ユーザＩＤ］フィールドに登録されていた情報処理装置Ａを示すＩＤをクリアするとともに、ＭＰＥＧ処理部２１６に対応する［ＯＮ／ＯＦＦステート］フィールドにＯＦＦステートを示す情報が登録される。
【０１２８】
一方、ＭＰＥＧ処理部２１６が情報処理装置Ａによって使用されていないならば（ステップ  Ｓ２２６  Ｎｏ）、システム制御部３１１は、映像・音声データが入力される入力部として第２の入力部２１４および映像・音声データが出力される出力部として第２の出力部２１５を、情報処理装置Ａに割当てるのを解除し、さらに、第２の入力部２１４に対応する電源被供給部＃４および第２の出力部２１５に対応する電源被供給部＃５の夫々に電源が供給されないように、電源制御部４２を介して電源部４１を制御する（ステップ  Ｓ２２９）。さらに、システム制御部３１１は、情報処理装置Ａによって第２の入力部２１４及び第２の出力部１１５が使用されていないことを示す情報を、図１２を用いて説明した使用状況管理テーブルに記録する（ステップ  Ｓ２３０）。ステップＳ２３０において、第２の入力部２１４及び第２の出力部２１５に対応する［ユーザＩＤ］フィールドに登録されていた情報処理装置Ａを示すＩＤがクリアされるとともに、第２の入力部２１４及び第２の出力部２１５に対応する［ＯＮ／ＯＦＦステート］フィールドにＯＦＦステートを示す情報が登録される。
【０１２９】
以上のように、本実施形態によれば、通信部３１３、第２の入力部２１４、第２の出力部２１５及びＭＰＥＧ処理部２１６に対する電源供給を夫々、独立に制御可能であるので、例えば、例えばワイアレスＡＶステーション１０１がルータとしてのみ機能している場合、又はＨＤＤ３１２に記憶されている映像・音声データを通信部３１３を介して情報処理装置に送信している場合のように、外部からの映像・音声データの入力処理及び外部への映像・音声データの出力処理を行わない場合は、第２の入力部２１４、第２の出力部２１５及びＭＰＥＧ処理部２１６夫々の電源供給を停止することが可能となる。
【０１３０】
また、ローカルネットワーク上の情報処理装置から送信された映像・音声データ入力要求を通信部３１３が受信した場合、システム制御部３１１がローカルネットワーク上の情報処理装置群による第２の入力部２１４、第２の出力部２１５及びＭＰＥＧ処理部２１６夫々の使用状況を確認することで、第２の入力部２１４、第２の出力部２１５及びＭＰＥＧ処理部２１６への電源供給が個別にオン／オフ制御される。従って、例えば、外部から第２の入力部２１４を介して入力された映像・音声データを第２の出力部２１５を介してＴＶ受像機１０２へ出力する場合、第２の入力部２１４及び第２の出力部２１５への電源供給をオンにし、ＭＰＥＧ処理部２１６への電源供給をオフにすることで、消費電力を軽減することが可能となる。
【０１３１】
なお、本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【０１３２】
【図１】本発明の実施形態に係るデータ伝送装置を用いたホームネットワークシステムの構成を示す図。
【図２】本発明の第１の実施形態に係るワイアレスＡＶステーションのシステム構成を示す図。
【図３】本発明の第１の実施形態に係るワイアレスＡＶステーション内に配される電源供給系統を示す図。
【図４】第１の入力部及び第１の出力部の使用状況を管理するために使用される使用状況管理テーブル。
【図５】通信部、第１の入力部、第１の出力部の電源供給状態の遷移を示す遷移図。
【図６】ワイアレスＡＶステーションに入力された映像・音声データをＨＤＤへ記憶開始する場合における処理手順を示すフローチャート。
【図７】ワイアレスＡＶステーションに入力された映像・音声データのＨＤＤへ記憶終了する場合における処理手順を示すフローチャート。
【図８】ＨＤＤに記憶されている映像・音声データを第１の出力部を介してＴＶ受像機へ出力を開始させる場合における処理手順を示すフローチャート。
【図９】ＨＤＤに記憶されている映像・音声データを第１の出力部を介してＴＶ受像機へ出力を終了させる場合における処理手順を示すフローチャート。
【図１０】本発明の第２の実施形態に係るワイアレスＡＶステーションのシステム構成を示す図。
【図１１】本発明の第２の実施形態に係るワイアレスＡＶステーション内に配される電源供給系統を示す図。
【図１２】第２の入力部、第２の出力部、及びＭＰＥＧ処理部の使用状況を管理するために使用される使用状況管理テーブル。
【図１３】通信部、第２の入力部、第２の出力部、ＭＰＥＧ処理部の電源供給状態の遷移を示す遷移図。
【図１４】ワイアレスＡＶステーションに入力された映像・音声データをＴＶ受像機へ出力開始させる場合における処理手順を示す図。
【図１５】ワイアレスＡＶステーションに入力された映像・音声データをＴＶ受像機へ出力終了させる場合における処理手順を示す図。
【符号の説明】
【０１３３】
１０１…ワイアレスＡＶステーション、
１０２…ＴＶ受像機、１０３…ノートブック型コンピュータ、
１０４…デスクトップ型コンピュータ、１０５…外部機器、
２２１…ＴＶチューナ、
【図１】
2005108039.tif 000003
【図２】
2005108039.tif 000004
【図３】
2005108039.tif 000005
【図４】
2005108039.tif 000006
【図５】
2005108039.tif 000007
【図６】
2005108039.tif 000008
【図７】
2005108039.tif 000009
【図８】
2005108039.tif 000010
【図９】
2005108039.tif 000011
【図１０】
2005108039.tif 000012
【図１１】
2005108039.tif 000013
【図１２】
2005108039.tif 000014
【図１３】
2005108039.tif 000015
【図１４】
2005108039.tif 000016
【図１５】
2005108039.tif 000017